(57)【要約】  本発明は、少なくとも１つのエネルギー発射手段、及びエネルギー発射手段を支持するとともに位置決めする少なくとも１つのエネルギー発射構造体を備えるサーフィン装置を提供する。エネルギー発射構造体は、エネルギー発射手段を１つ又は複数のエネルギー発射位置に位置決めする。エネルギーは、エネルギー発射手段によって複数の位置から発射され、人が、発射されるエネルギーのみによって少なくとも部分的にサーフィンすることを可能にする。本発明はまた、本発明の装置又は別のサーフィン装置であるサーフィン装置の面を提供する。この面は、人が、本発明のサーフィン装置の発射されるエネルギーによって、又はこの面から、この面にわたって若しくはこの面上に発射される流体によりこの面と少なくとも部分的に直接的に接触することによってこの面上をサーフィンするように設計されている。この面は衝撃吸収材を有する。この衝撃吸収材は、少なくとも部分的に多孔性であり、少なくとも部分的に変形可能であり、また衝撃時に少なくとも部分的に変形して衝撃を少なくとも部分的に吸収するか又は拡散させるように設計されている。【選択図】図１
2014502869.tif 000002
【特許請求の範囲】
【請求項１】
少なくとも１つのエネルギー発射手段、及び該エネルギー発射手段を支持するとともに位置決めする少なくとも１つのエネルギー発射構造体を備えるサーフィン装置であって、前記エネルギー発射構造体は、１つ又は複数のエネルギー発射位置において前記エネルギー発射手段を支持するように構成されており、該エネルギー発射手段は、前記１つ又は複数の位置からエネルギーを発射し、人が、該発射されるエネルギーのみによって少なくとも部分的にサーフィンすることを可能にするように構成されている、サーフィン装置。
【請求項２】
前記エネルギー発射手段及び前記エネルギー発射構造体は、人が、前記発射されるエネルギーのみによって少なくとも実質的にサーフィンすることを可能にするように構成されている、請求項１に記載のサーフィン装置。
【請求項３】
前記エネルギー発射手段及び前記エネルギー発射構造体は、海の波をシミュレートするように構成されている、請求項１又は２に記載のサーフィン装置。
【請求項４】
前記エネルギー発射手段及び前記エネルギー発射構造体の１つ又は複数は、使用時に、前記人と組み合わせて、該人がサーフィンするサーフィン面を提供するように構成されている、請求項１〜３のいずれか一項に記載のサーフィン装置。
【請求項５】
前記サーフィン面は、前記人と前記発射されるエネルギーとの相互作用によって提供される、請求項１〜４のいずれか一項に記載のサーフィン装置。
【請求項６】
前記エネルギー発射手段は、前記サーフィン面に近接した位置からエネルギーを発射するように更に構成されている、請求項５に記載のサーフィン装置。
【請求項７】
前記近接した位置は、使用時に、前記サーフィン面にあるか又は該サーフィン面の下にある、請求項６に記載のサーフィン装置。
【請求項８】
前記装置は、前記サーフィンが終了すると、自発的に又は別様に人を支持するように構成されている安全面を更に含む、請求項１〜７のいずれか一項に記載のサーフィン装置。
【請求項９】
前記エネルギー発射手段は、流体を発射するように構成されている、請求項１〜８のいずれか一項に記載のサーフィン装置。
【請求項１０】
前記エネルギー発射手段はノズルを含む、請求項９に記載のサーフィン装置。
【請求項１１】
前記エネルギー発射手段は、電磁エネルギーを発射するように構成されている、請求項９に記載のサーフィン装置。
【請求項１２】
前記エネルギー発射手段はまた、流体、及び好適な代替的な非特定の形態のエネルギーの１つ又は複数を発射するように構成されている、請求項１１に記載のサーフィン装置。
【請求項１３】
前記エネルギー発射手段は、１平方メートルあたり約１５０ｋｇｆ〜１平方メートルあたり約５００ｋｇｆの範囲の値のエネルギーを発射するように構成されている、請求項１〜１２のいずれか一項に記載のサーフィン装置。
【請求項１４】
前記エネルギー発射手段は、前記面に対して接線方向である接線平面に対して約５度〜約３５度の範囲の角度でエネルギーを発射するように構成されている、請求項１〜１３のいずれか一項に記載のサーフィン装置。
【請求項１５】
前記発射の角度は、約１０度〜約３５度の範囲である、請求項１４に記載のサーフィン装置。
【請求項１６】
前記エネルギー発射手段は、前記接線平面に対して約５度〜約２５度の範囲の角度でエネルギーを発射するように構成されている、請求項１４に記載のサーフィン装置。
【請求項１７】
前記エネルギー発射手段は、流体の形態のエネルギーを少なくとも部分的に連続的に発射するように更に構成されている、請求項１〜１６のいずれか一項に記載のサーフィン装置。
【請求項１８】
前記エネルギー発射手段は、実質的に、流体発射の形態のエネルギー発射手段のみを含む、請求項１７に記載のサーフィン装置。
【請求項１９】
前記面は細長く、該細長い面の長手方向長さに沿うサーフィン用に構成されている、請求項１〜１８のいずれか一項に記載のサーフィン装置。
【請求項２０】
前記エネルギー発射手段は、前記細長い面の長手方向の縁に対して約４５度〜約１３５度の範囲の角度でエネルギーを発射するように構成されている、請求項１９に記載のサーフィン装置。
【請求項２１】
前記サーフィン面は、海の波の形状をシミュレートするような形状である、請求項２０に記載のサーフィン装置。
【請求項２２】
前記長手方向の縁は前記面のより小さい細長い縁も含む、請求項２０又は２１に記載のサーフィン装置。
【請求項２３】
前記装置の以下の特徴：前記発射されるエネルギーの前記量；前記エネルギー発射角度；前記面の前記形状の少なくとも１つ又は複数は、静的に若しくは動的に、又は静的及び動的の双方で調整可能である、請求項２０〜２２のいずれか一項に記載のサーフィン装置。
【請求項２４】
前記特徴は独立して調整可能である、請求項２３に記載のサーフィン装置。
【請求項２５】
特定の特徴を、前記面の異なる位置において独立して調整可能であるため、該特定の特徴は異なる位置において異なる値に設定することができる、請求項２４に記載のサーフィン装置。
【請求項２６】
前記静的な調整は、前記装置が一時的に動作していないときに行われる調整を含む、請求項２３〜２５のいずれか一項に記載のサーフィン装置。
【請求項２７】
前記動的な調整は、前記サーフィン中に行われる調整を含む、請求項２３〜２５のいずれか一項に記載のサーフィン装置。
【請求項２８】
前記調整は、対応する制御部の手動の調整によって手動で行われる、請求項２３〜２７のいずれか一項に記載のサーフィン装置。
【請求項２９】
前記調整は自動化される、請求項２３〜２８のいずれか一項に記載のサーフィン装置。
【請求項３０】
前記特徴は、前記面の異なる位置において独立して調整可能であるため、異なる位置において異なる値に設定することができる、請求項２３〜２９のいずれか一項に記載のサーフィン装置。
【請求項３１】
手動の調整の制御を更に含む、請求項２３〜３０のいずれか一項に記載のサーフィン装置。
【請求項３２】
自動的な調整の制御を更に含む、請求項２３〜３０のいずれか一項に記載のサーフィン装置。
【請求項３３】
前記装置は、以下の：前記エネルギー発射手段の前記位置；及びそのエネルギー発射能力を含む該エネルギー発射手段の少なくとも１つ又は複数を静的に調整するように構成されている、請求項１〜３２のいずれか一項に記載のサーフィン装置。
【請求項３４】
手動の調整の制御を更に含む、請求項３１〜３３のいずれか一項に記載のサーフィン装置。
【請求項３５】
自動的な調整の制御を更に含む、請求項３１〜３４のいずれか一項に記載のサーフィン装置。
【請求項３６】
前記サーフィン面は、海の波の形状をシミュレートするような形状ではなく、実質的に水平である、請求項１〜２０のいずれか一項に記載のサーフィン装置。
【請求項３７】
前記サーフィン面は実質的に平坦である、請求項３６に記載のサーフィン装置。
【請求項３８】
前記面は流体の上にある、請求項３６又は３７に記載のサーフィン装置。
【請求項３９】
別のサーフィン面であって、使用時に前記面の下に位置決めされ、前記エネルギー発射手段からのエネルギーを該他の面内から発射するか、又は該他の面の下から該他の面を通して発射するように構成されている別のサーフィン面を更に含む、請求項１〜３８のいずれか一項に記載のサーフィン装置。
【請求項４０】
前記装置を前記流体上で又は少なくとも部分的に該流体内で支持するとともに、前記サーフィン面を前記流体の表面の上又はすぐ下に提供するように構成されている少なくとも１つの浮き手段を更に備える、請求項３９に記載のサーフィン装置。
【請求項４１】
前記少なくとも１つの浮き手段は前記他の面を支持するように構成されている、請求項４０に記載のサーフィン装置。
【請求項４２】
前記少なくとも１つの浮き手段のうちの少なくとも１つは、前記装置と一体的に形成される、請求項４０又は４１に記載のサーフィン装置。
【請求項４３】
前記少なくとも１つの浮き手段のうちの少なくとも１つは、前記装置に接続される、請求項４０〜４２のいずれか一項に記載のサーフィン装置。
【請求項４４】
前記少なくとも１つの浮き手段のうちの少なくとも１つは、１つ又は複数の浮き機構を含む、請求項４０〜４３のいずれか一項に記載のサーフィン装置。
【請求項４５】
前記１つ又は複数の浮き機構のうちの少なくとも１つは少なくとも１つの浮きを含む、請求項４４に記載のサーフィン装置。
【請求項４６】
前記浮きは、２つ以上の浮き位置間で少なくとも静的に調整可能である、請求項４５に記載のサーフィン装置。
【請求項４７】
前記浮きは動的に調整可能である、請求項４５に記載のサーフィン装置。
【請求項４８】
前記少なくとも１つの浮きの１つ又は複数の静的な調整を更に含む、請求項４７に記載のサーフィン装置。
【請求項４９】
前記面の異なる領域に設けられる浮き支持体を、静的に若しくは動的に、又は静的及び動的の双方で独立して調整可能である、請求項４０〜４８のいずれか一項に記載のサーフィン装置。
【請求項５０】
手動の浮き調整制御部を更に含む、請求項４９に記載のサーフィン装置。
【請求項５１】
自動的な浮き調整制御部を更に含む、請求項４９又は５０に記載のサーフィン装置。
【請求項５２】
前記浮き手段は、前記他の面を支持するように該他の面の下に実質的に等間隔に分散している、請求項４１〜５１のいずれか一項に記載のサーフィン装置。
【請求項５３】
前記浮き手段は、好ましくは１平方メートルあたり約１個の浮き〜１平方メートルあたり約１００個の浮きの範囲の浮きの密度を有する、請求項４０〜５２のいずれか一項に記載のサーフィン装置。
【請求項５４】
前記浮きの密度は、以下の：前記装置の所望の特徴；浮きの浮力の１つ又は複数に依存する、請求項５３に記載のサーフィン装置。
【請求項５５】
前記浮きの前記浮力は、１００ｍｍの深さでｓｑｍあたり約４０ｋｇｓ〜１００ｍｍの深さでｓｑｍあたり約３００ｋｇｓの範囲である、請求項５４に記載のサーフィン装置。
【請求項５６】
前記浮き手段は、トランポリン効果を提供するように構成されており、それによって、前記他の面が前記流体内へ押し下がることによって該面がその後で前記流体によって上方へ押しやられる、請求項４１〜５５のいずれか一項に記載のサーフィン装置。
【請求項５７】
前記他の面は隆起した領域を含む、請求項４１〜５６のいずれか一項に記載のサーフィン装置。
【請求項５８】
前記隆起した領域は、以下の：障害物；斜面の少なくとも１つ又は複数を提供する、請求項５７に記載のサーフィン装置。
【請求項５９】
前記エネルギー発射構造体は、前記サーフィン面の少なくとも１つ又は複数の部分の位置を調整するように更に構成されている、請求項１〜５８のいずれか一項に記載のサーフィン装置。
【請求項６０】
前記エネルギー発射構造体は、前記サーフィン面の少なくとも１つ又は複数の部分の形状を調整するように構成されている、請求項５９に記載のサーフィン装置。
【請求項６１】
前記調整は静的である、請求項５９又は６０に記載のサーフィン装置。
【請求項６２】
前記調整は動的である、請求項５９又は６０に記載のサーフィン装置。
【請求項６３】
前記調整は静的及び動的の双方である、請求項５９又は６０に記載のサーフィン装置。
【請求項６４】
前記位置の調整は、垂直若しくは水平、又はこれらの任意の組み合わせである、請求項５９〜６３のいずれか一項に記載のサーフィン装置。
【請求項６５】
前記構造体は調整の制御部を更に含む、請求項５９〜６４のいずれか一項に記載のサーフィン装置。
【請求項６６】
前記調整の制御部は手動、自動又はこれらの組み合わせである、請求項６６に記載のサーフィン装置。
【請求項６７】
前記調整は海の波をシミュレートするように構成されている、請求項５９〜６６のいずれか一項に記載のサーフィン装置。
【請求項６８】
前記他の面は衝撃吸収材を含み、該衝撃吸収材は、少なくとも部分的に多孔性であり、少なくとも部分的に変形可能であり、衝撃時に少なくとも部分的に変形して該衝撃を少なくとも部分的に吸収するように構成されている、請求項３９〜６７のいずれか一項に記載のサーフィン装置。
【請求項６９】
前記他の面は、その外周の一部が：前記人；前記流体の１つ又は複数を収容するように構成されているバリア内に少なくとも延びる、請求項６８に記載のサーフィン装置。
【請求項７０】
前記装置は、前記面から、又は代替的に、存在する場合には前記他の面から余分な流体を除去するように構成されている流体逃がし手段を更に備える、請求項１〜６７のいずれか一項に記載のサーフィン装置。
【請求項７１】
前記装置は、前記面から、又は代替的に、存在する場合には前記他の面から余分な流体を除去するように構成されている流体逃がし手段を更に備える、請求項６９に記載のサーフィン装置。
【請求項７２】
前記余分な流体は、好ましくは前記サーフィンと悪い方向に相互作用する流体である、請求項７０又は７１に記載のサーフィン装置。
【請求項７３】
前記流体逃がし手段は前記サーフィンを変更するように構成されている、請求項７０〜７２のいずれか一項に記載のサーフィン装置。
【請求項７４】
前記変更は、前記サーフィンの難易度を変えるように構成されている、請求項７３に記載のサーフィン装置。
【請求項７５】
前記変更は、前記サーフィンの少なくとも以下の特徴：抗力；流体発射角度；該発射される流体の貫通の１つ又は複数を変えるように構成されている、請求項７３又は７４に記載のサーフィン装置。
【請求項７６】
前記流体逃がしは、静的に若しくは動的に、又は静的及び動的の双方で調整可能である、請求項７０〜７５のいずれか一項に記載のサーフィン装置。
【請求項７７】
前記静的な調整は、前記装置が一時的に動作していないときに行われる調整を含む、請求項７６に記載のサーフィン装置。
【請求項７８】
前記動的な調整は、前記サーフィン中に行われる調整を含む、請求項７６又は７７に記載のサーフィン装置。
【請求項７９】
前記調整は、対応する制御部の手動の調整によって手動で行われる、請求項７６〜７８のいずれか一項に記載のサーフィン装置。
【請求項８０】
前記調整は自動化される、請求項７６〜７９のいずれか一項に記載のサーフィン装置。
【請求項８１】
前記流体逃がしは、前記面、又は代替的に、存在する場合には前記他の面の異なる位置又は領域において独立して調整可能であるため、該異なる位置又は領域において異なる値に設定することができる、請求項７６〜８０のいずれか一項に記載のサーフィン装置。
【請求項８２】
前記調整は、前記流体逃がしを低下又は増大させることによって行われる、請求項７６〜８１のいずれか一項に記載のサーフィン装置。
【請求項８３】
調整は、前記流体逃がしの制限を変化させることよって行われる、請求項８２に記載のサーフィン装置。
【請求項８４】
前記流体逃がしの前記低下又は増大は、前記サーフィンに関連する抗力をそれぞれ増大又は低下させる、請求項８２又は８３に記載のサーフィン装置。
【請求項８５】
前記流体逃がしは、前記抗力を制御することによって海の波の力をシミュレートするように調整される、請求項７６〜８４のいずれか一項に記載のサーフィン装置。
【請求項８６】
前記流体逃がしは、前記抗力を制御することによって前記サーフィンの安定性を高めるように更に構成されている、請求項８４又は８５に記載のサーフィン装置。
【請求項８７】
前記流体逃がしの前記調整は、前記流体発射角度を変化させるように構成されている、請求項７６〜８６のいずれか一項に記載のサーフィン装置。
【請求項８８】
流体逃がしの低下又は増大によって前記流体発射角度がそれぞれ低下又は増加する、請求項８７に記載のサーフィン装置。
【請求項８９】
前記流体発射角度に対する変化は、前記面から或る距離を置いて生じる、請求項８８に記載のサーフィン装置。
【請求項９０】
前記流体発射角度に対する変化は、前記面に近接して生じる、請求項８９に記載のサーフィン装置。
【請求項９１】
前記流体逃がしの調整は、前記エネルギーが前記面から移動する距離を低減しながら、前記エネルギーの移動を実質的に維持するように構成されている、請求項７６〜９０のいずれか一項に記載のサーフィン装置。
【請求項９２】
前記低下した流体逃がしによって、前記発射される流体が前記面に対してより鋭角に向かって曲がる、請求項８８〜９１のいずれか一項に記載のサーフィン装置。
【請求項９３】
前記サーフィン装置に関して前記曲がることは、海の波に関してより上昇することに実質的に等しい、請求項９２に記載のサーフィン装置。
【請求項９４】
前記流体逃がし手段は、好ましくは前記発射される流体の約１００％〜約５０％の範囲内で流体を逃がすようになっている、請求項７１〜９３のいずれか一項に記載のサーフィン装置。
【請求項９５】
前記流体逃がし手段は、以下の：吸引若しくは真空；重力；又は遠心力の少なくとも１つ又は複数を含む、請求項７１〜９４のいずれか一項に記載のサーフィン装置。
【請求項９６】
前記構造体は前記流体逃がし手段を支持するように更に構成されている、請求項７１〜９５のいずれか一項に記載のサーフィン装置。
【請求項９７】
前記エネルギー発射構造体は、前記他の面を少なくとも支持するように構成されている支持ケーブルを含む、請求項９６に記載のサーフィン装置。
【請求項９８】
前記他の面は：ＰＶＣ；ポリウレタン；ポリプロピレン；ポリエチレンの１つ又は複数を含む、請求項４０〜９７のいずれか一項に記載のサーフィン装置。
【請求項９９】
前記他の面は、前記サーフィンが終了すると、自発的に又は別様に１人又は複数人の前記人を支持するように構成されている、請求項９７又は９８に記載のサーフィン装置。
【請求項１００】
前記支持ケーブルは、前記他の面を支持するために該他の面の下を通る、請求項９７〜９９のいずれか一項に記載のサーフィン装置。
【請求項１０１】
前記ケーブルは、前記他の支持面の下でループ状になっている、請求項１００に記載のサーフィン装置。
【請求項１０２】
前記エネルギーと前記他の面との間で生じる前記サーフィンに対するいかなる有意な相互作用も、前記サーフィンを前記可能にした後でのみ生じる、請求項４０〜１０１のいずれか一項に記載のサーフィン装置。
【請求項１０３】
前記発射されるエネルギーは、前記人が、前記他の面と接触することなく、また該接触から生じる対応する摩擦なく前記面上を実質的にサーフィンすることを可能にするように更に構成されている、請求項１０２に記載のサーフィン装置。
【請求項１０４】
前記衝撃吸収材の前記部分的に多孔性の特徴は、前記他の面からの前記流体の排水を容易にするように構成されている、請求項６９〜１０３のいずれか一項に記載のサーフィン装置。
【請求項１０５】
前記衝撃吸収材は、前記人の安全性を少なくとも部分的に高めるように構成されている、請求項６９〜１０４のいずれか一項に記載のサーフィン装置。
【請求項１０６】
前記衝撃吸収材は、前記他の面の１つ又は複数の少なくとも部分的に多孔性の領域を提供する、請求項６９〜１０５のいずれか一項に記載のサーフィン装置。
【請求項１０７】
前記少なくとも部分的に多孔性の領域は前記他の面を実質的に覆う、請求項１０６に記載のサーフィン装置。
【請求項１０８】
前記他の面の残りの部分に対する前記少なくとも部分的に多孔性の領域の比として表される流体逃がし率が、ｓｑｍあたり約０．３５ｓｑｍ〜約０．７５ｓｑｍ、すなわち約３５％〜約７５％の範囲である、請求項１０６又は１０７に記載のサーフィン装置。
【請求項１０９】
前記流体逃がし率はｓｑｍあたり約０．５２ｓｑｍである、請求項１０８に記載のサーフィン装置。
【請求項１１０】
前記少なくとも部分的に多孔性の領域は孔を含む、請求項１０６〜１０９のいずれか一項に記載のサーフィン装置。
【請求項１１１】
前記孔は、矩形の孔をともに画定する、対向して位置決めされる仕切り又はストリップの２つの対応する対によって形成される、請求項１１０に記載のサーフィン装置。
【請求項１１２】
一対の前記対向して位置決めされる仕切り又はストリップ間の間隔は、約３ｍｍ〜約１５ｍｍの範囲であり、他方の対は約１５ｍｍ〜約５０ｍｍの範囲である、請求項１１１に記載のサーフィン装置。
【請求項１１３】
前記衝撃吸収材は、前記衝撃を吸収するように構成されている断面が実質的に厚い、請求項６９〜１１２のいずれか一項に記載のサーフィン装置。
【請求項１１４】
前記仕切り又はストリップは、前記衝撃吸収材に一体的に形成される壁の縁を含む、請求項１１１〜１１３のいずれか一項に記載のサーフィン装置。
【請求項１１５】
前記衝撃吸収材は、該衝撃吸収材の１つ又は複数のパネルを含む、請求項６９〜１１４のいずれか一項に記載のサーフィン装置。
【請求項１１６】
前記部分的に多孔性の材料は、衝撃時に急速に変形するように構成されている、請求項６９〜１１５のいずれか一項に記載のサーフィン装置。
【請求項１１７】
前記部分的に多孔性の材料は、衝撃時に適度な速度で変形するように構成されている、請求項６９〜１１５のいずれか一項に記載のサーフィン装置。
【請求項１１８】
前記変形は前記壁の変形を含む、請求項１１４〜１１７のいずれか一項に記載のサーフィン装置。
【請求項１１９】
前記ケーブルも前記衝撃を少なくとも部分的に吸収する、請求項９７〜１１８のいずれか一項に記載のサーフィン装置。
【請求項１２０】
前記ケーブルは少なくとも部分的に緩んでいる、請求項１１９に記載のサーフィン装置。
【請求項１２１】
前記ケーブルは前記衝撃から少なくとも部分的に離れるように構成されている、請求項１１９又は１２０に記載のサーフィン装置。
【請求項１２２】
前記離れることによって前記衝撃を少なくとも部分的に吸収する、請求項１２１に記載のサーフィン装置。
【請求項１２３】
前記ケーブルは、前記衝撃時に前記離れる方向とは反対方向へ移動するように更に構成されており、該移動は、前記衝撃に近接して、但し該衝撃の両側において生じ、前記移動はまた、前記両側の領域において前記他の面を少なくとも部分的に上昇させる、請求項１２１又は１２２に記載のサーフィン装置。
【請求項１２４】
前記反対方向への移動は前記他の面を上昇させ、それによって前記衝撃の吸収に寄与する、請求項１２３に記載のサーフィン装置。
【請求項１２５】
前記ケーブルは、前記衝撃を最小限に吸収するように構成されており、前記衝撃は主に前記衝撃吸収材によって吸収される、請求項１１９〜１２４のいずれか一項に記載のサーフィン装置。
【請求項１２６】
前記変形は、前記サーファーが前記他の面上をサーフィンするときに前記流体逃がしを一時的に低下させることによって、前記サーフィンの質を少なくとも部分的に高めるよう更に構成されている、請求項７１〜１２５のいずれか一項に記載のサーフィン装置。
【請求項１２７】
前記変形は、前記サーファーが前記他の面上をサーフィンするときに前記流体逃がしを一時的に低下させることによって、前記サーフィンの質を少なくとも部分的に高めるよう更に構成されている、請求項１１８〜１２５のいずれか一項に記載のサーフィン装置。
【請求項１２８】
前記多孔性は、前記サーファーと前記他の面との間の相互作用によって一時的に低下する、請求項１２６に記載のサーフィン装置。
【請求項１２９】
前記多孔性は、前記サーファーと前記他の面との間の相互作用によって一時的に低下する、請求項１２７に記載のサーフィン装置。
【請求項１３０】
多孔性は、前記壁を座屈させるとともに前記孔を絞ることによって低下する、請求項１２９に記載のサーフィン装置。
【請求項１３１】
流体逃がしの低下によって、前記他の面上の流体の量が増大して上昇が増す、請求項１２６〜１３０のいずれか一項に記載のサーフィン装置。
【請求項１３２】
上昇が増すことによって、ライダーが前記他の面から離れるように押される、請求項１３１に記載のサーフィン装置。
【請求項１３３】
前記一時的な流体逃がしの低下は、前記他のサーフィン面から排水される流体の排水速度を少なくとも部分的に低下させる、請求項１２６〜１３２のいずれか一項に記載のサーフィン装置。
【請求項１３４】
前記排水速度の低下は、前記サーファーが前記発射されるエネルギーのみによって前記他の面上を少なくとも部分的にサーフィンすることを可能にするのに必要な前記発射されるエネルギーの発射速度を低下させることによって、前記サーフィン装置のエネルギー使用を少なくとも部分的に低減する、請求項１３３に記載のサーフィン装置。
【請求項１３５】
前記他の面はモジュール式である、請求項４０〜１３４のいずれか一項に記載のサーフィン装置。
【請求項１３６】
前記モジュールは、前記他の面の少なくとも一部；及び少なくとも１つのエネルギー発射出口の１つ又は複数をそれぞれ含む、請求項１３５に記載のサーフィン装置。
【請求項１３７】
前記他の面は接続されたモジュールから構成される、請求項１３５又は１３６に記載のサーフィン装置。
【請求項１３８】
前記モジュールは、接続されて前記エネルギー発射構造体を形成するように構成されている、該構造体の構造部材を更に含む、請求項１３５〜１３７のいずれか一項に記載のサーフィン装置。
【請求項１３９】
前記モジュールは、隣接して位置決めされるモジュールを接続する接続手段を更に含む、請求項１３５〜１３８のいずれか一項に記載のサーフィン装置。
【請求項１４０】
前記接続手段は、そのエネルギー発射出口と前記流体発射手段とを接続するように更に構成されている、請求項１３９に記載のサーフィン装置。
【請求項１４１】
前記接続手段は、前記モジュールのアセンブリを固定して前記装置を構成するように更に構成されている、請求項１３９又は１４０に記載のサーフィン装置。
【請求項１４２】
前記接続手段は、以下の接続：機械的な接続；化学的な接続の１つ又は複数を含む接続に適合される、請求項１３９〜１４１のいずれか一項に記載のサーフィン装置。
【請求項１４３】
前記機械的な接続は：噛み合い部分；圧着、紐、クリップ、ナット及びボルト、ピンを含む締結具；ケーブル；縫い合わせ；螺合；及び支持基材に支持されるキャビティの１つ又は複数を含む、請求項１４２に記載のサーフィン装置。
【請求項１４４】
前記化学的な接続は：熱結合；超音波溶接；及び糊付けの１つ又は複数を含む、請求項１４２に記載のサーフィン装置。
【請求項１４５】
前記接続手段は着脱可能である、請求項１３９〜１４４のいずれか一項に記載のサーフィン装置。
【請求項１４６】
前記着脱可能であることによって前記装置を変更するように構成されている、請求項１４５に記載のサーフィン装置。
【請求項１４７】
前記変更は：前記他の面のレイアウトを含むレイアウト；又は性能の１つ又は複数を含む、請求項１４６に記載のサーフィン装置。
【請求項１４８】
前記着脱可能であることは：前記装置の分解；分解された構成部材を別の場所へ移動させること；及び前記装置を再び組み立てることの１つ又は複数に合わせて構成されている、請求項１４５〜１４７のいずれか一項に記載のサーフィン装置。
【請求項１４９】
前記接続されたモジュールは、請求項４０〜５６及び７０〜９５それぞれの前記浮き及び前記流体逃がしの特徴の１つ又は複数を更に含む、請求項１３７〜１４８のいずれか一項に記載のサーフィン装置。
【請求項１５０】
前記エネルギー発射出口は実質的に等間隔に離間している、請求項１３７〜１４９のいずれか一項に記載のサーフィン装置。
【請求項１５１】
前記間隔は、前記他の面の１つ又は複数の領域について少なくとも部分的に不均一である、請求項１５０に記載のサーフィン装置。
【請求項１５２】
前記不均一な間隔は、前記発射されるエネルギーに対する分解効果を生じるように構成されている、請求項１５１に記載のサーフィン装置。
【請求項１５３】
前記分解効果は、前記面への前記発射されるエネルギーの発射の有効表面積を変えるように構成されている、請求項１５２に記載のサーフィン装置。
【請求項１５４】
前記分解効果は、前記面に発射されるエネルギーの濃度を更に少なくとも部分的に変える、請求項１５３に記載のサーフィン装置。
【請求項１５５】
前記ノズルは、前記長手方向長さと実質的に位置合わせされる長手方向に、約５０ｍｍ〜約３００ｍｍの範囲の距離だけ離間する、請求項１９〜１５４のいずれか一項に記載のサーフィン装置。
【請求項１５６】
前記ノズルは、前記長手方向長さに対して横断方向に、約２５０ｍｍ〜約６００ｍｍの範囲の距離だけ離間する、請求項１９〜１５５のいずれか一項に記載のサーフィン装置。
【請求項１５７】
前記サーフィン装置は、前記他の面の１平方メートルあたり約６個〜約６０個の流体発射ノズルを含む、請求項３９〜１５６のいずれか一項に記載のサーフィン装置。
【請求項１５８】
前記ノズルは、完全にではなくほぼ円形の断面である、請求項１０〜１５７のいずれか一項に記載のサーフィン装置。
【請求項１５９】
前記ノズルは、約２０ｍｍ〜約１２０ｍｍの範囲の有効径を有する、請求項１５８に記載のサーフィン装置。
【請求項１６０】
前記流体発射ノズルはカバー手段を含む、請求項１０〜１５９のいずれか一項に記載のサーフィン装置。
【請求項１６１】
前記カバー手段は、望ましくない粒子、物体若しくは人の指、目、つま先又は他の身体部分が前記ノズルに入ることを防止するように構成されている、請求項１６０に記載のサーフィン装置。
【請求項１６２】
前記カバー手段は網を含む、請求項１６０又は１６１に記載のサーフィン装置。
【請求項１６３】
前記網は、約１０平方ｍｍ〜約１０００平方ｍｍの範囲の孔サイズを有する、請求項１６２に記載のサーフィン装置。
【請求項１６４】
前記エネルギー発射手段は、人が少なくとも実質的に平面的な物体を用いて前記サーフィン面上をサーフィンすることを可能にするように構成されている、請求項９及び１２〜１６３のいずれか一項に記載のサーフィン装置。
【請求項１６５】
前記エネルギー発射手段は、人が少なくとも実質的に平面的な物体を用いて前記サーフィン面上をサーフィンすることを可能にするように構成されている、請求項１１〜１７及び１９〜１６３のいずれか一項に記載のサーフィン装置。
【請求項１６６】
前記実質的に平面的な物体は、前記発射されるエネルギーを受け取るように構成されている少なくとも１つのエネルギー受け取り領域を含む、請求項１６４に記載のサーフィン装置。
【請求項１６７】
前記実質的に平面的な物体は、前記発射されるエネルギーを受け取るように構成されている少なくとも１つのエネルギー受け取り領域を含む、請求項１６５に記載のサーフィン装置。
【請求項１６８】
前記少なくとも１つのエネルギー受け取り領域は少なくとも１つの起伏を含む、請求項１６６に記載のサーフィン装置。
【請求項１６９】
前記少なくとも１つのエネルギー受け取り領域は、前記発射されるエネルギーを吸収するように構成されている、請求項１６７に記載のサーフィン装置。
【請求項１７０】
前記少なくとも１つのエネルギー受け取り領域は、金属材料若しくは磁気材料又は磁気材料及び金属材料の双方を少なくとも部分的に含む、請求項１６９に記載のサーフィン装置。
【請求項１７１】
前記平面的な物体は、少なくともデータを格納するように構成されているデータ手段を更に含む、請求項１６４〜１７０のいずれか一項に記載のサーフィン装置。
【請求項１７２】
前記データ手段はデータを検索するように更に構成されている、請求項１７１に記載のサーフィン装置。
【請求項１７３】
前記データ手段はリアルタイム動作するように更に構成されている、請求項１７１又は１７２に記載のサーフィン装置。
【請求項１７４】
前記平面的な物体は、使用時に該平面的な物体の下面部分に近接して位置決めされる少なくとも部分的に剛性の下面部分を更に含む、請求項１６４〜１７３のいずれか一項に記載のサーフィン装置。
【請求項１７５】
前記平面的な物体は、使用時に該平面的な物体の上側部分に近接して位置決めされる少なくとも部分的に軟質の上側部分を更に含む、請求項１６４〜１７４のいずれか一項に記載のサーフィン装置。
【請求項１７６】
前記平面的な物体は、サーフボード又はブギーボードを更に含む、請求項１６４〜１７４のいずれか一項に記載のサーフィン装置。
【請求項１７７】
前記実質的に平面的な物体は、少なくとも実質的に従来のサーフボード又はブギーボードを更に含む、請求項１６４、１６７又は１６９に記載のサーフィン装置。
【請求項１７８】
前記装置は、前記サーフィン中に前記人を更に支持するサーフィン支持手段を備える、請求項１〜１７７のいずれか一項に記載のサーフィン装置。
【請求項１７９】
前記サーフィン支持手段は、前記面を前記人に繋ぐように構成されている繋ぎ手段を含む、請求項１７８に記載のサーフィン装置。
【請求項１８０】
前記エネルギー発射手段は、前記サーフィン中に前記繋ぎ手段に少なくとも部分的に一定の張りを持たせるために、所定の方向範囲内でエネルギーを発射するように構成されている、請求項１７９に記載のサーフィン装置。
【請求項１８１】
サーフィンを可能にする方法であって、
ａ．少なくとも１つのエネルギー発射手段を準備するステップ、
ｂ．前記エネルギー発射手段を支持するとともに位置決めする少なくとも１つのエネルギー発射構造体を準備するステップ、
ｃ．１つ又は複数のエネルギー発射位置において前記エネルギー発射手段を支持するように前記エネルギー発射構造体を構成するステップ；及び
ｄ．前記エネルギー発射手段を、前記１つ又は複数の位置からエネルギーを発射するように構成し、人が、前記発射されるエネルギーのみによって少なくとも部分的にサーフィンすることを可能にするステップ
を含む、サーフィンを可能にする方法。
【請求項１８２】
前記エネルギー発射手段及び前記エネルギー発射構造体を、人が、前記発射されるエネルギーのみによって少なくとも実質的にサーフィンすることを可能にするように構成するステップを更に含む、請求項１８１に記載の方法。
【請求項１８３】
前記エネルギー発射手段及び前記エネルギー発射構造体の１つ又は複数を、海の波をシミュレートするように構成するステップを更に含む、請求項１８１又は１８２に記載の方法。
【請求項１８４】
前記エネルギー発射手段及び前記エネルギー発射構造体の１つ又は複数を、使用時に、前記人と組み合わせて、該人がサーフィンするサーフィン面を提供するように構成するステップを更に含む、請求項１８１〜１８３のいずれか一項に記載の方法。
【請求項１８５】
前記人と前記発射されるエネルギーとの相互作用を可能にするステップを更に含む、請求項１８４に記載の方法。
【請求項１８６】
前記エネルギー発射手段を、前記面に近接した位置からエネルギーを発射するように構成するステップを更に含む、請求項１８４又は１８５に記載の方法。
【請求項１８７】
エネルギーを、使用時に前記面にあるか又は該面の下にある位置から発射するステップを更に含む、請求項１８６に記載の方法。
【請求項１８８】
前記エネルギー発射手段に関して１つ又は複数のエネルギー発射出口を設けるステップを更に含む、請求項１８１〜１８７のいずれか一項に記載の方法。
【請求項１８９】
前記エネルギー発射手段を、流体を発射するように構成するステップを更に含む、請求項１８１〜１８８のいずれか一項に記載の方法。
【請求項１９０】
ノズルの形態のエネルギー発射出口を設けるステップを更に含む、請求項１８９に記載の方法。
【請求項１９１】
前記エネルギー発射手段を、電磁エネルギーを発射するように構成するステップを更に含む、請求項１８１〜１８８のいずれか一項に記載の方法。
【請求項１９２】
前記エネルギー発射手段を、流体及び電磁エネルギー、並びに好適な代替的な非特定の形態のエネルギーの１つ又は複数の組み合わせを発射するように構成するステップを更に含む、請求項１８１〜１９１のいずれか一項に記載の方法。
【請求項１９３】
流体の形態のエネルギーを少なくとも部分的に連続的に発射するステップを更に含む、請求項１８１〜１９０のいずれか一項に記載の方法。
【請求項１９４】
実質的に流体発射手段の形態のエネルギー発射手段のみを準備するステップを更に含む、請求項１８１〜１９０及び１９３のいずれか一項に記載の方法。
【請求項１９５】
前記方法は、前記面から余分な流体を除去する逃がし手段を設けるステップを更に含み、前記余分な流体は、好ましくは前記サーフィンと悪い方向に相互作用する流体である、請求項１８１〜１９０並びに１９３及び１９４のいずれか一項に記載の方法。
【請求項１９６】
前記流体逃がし手段を、前記サーフィンを変更するように構成するステップを更に含む、請求項１８１〜１９０及び１９３〜１９５のいずれか一項に記載の方法。
【請求項１９７】
前記サーフィンを変更して該サーフィンの難易度を変えるステップを更に含む、請求項１９６に記載の方法。
【請求項１９８】
前記流体逃がし手段を、前記サーフィンの少なくとも以下の特徴：抗力；流体発射角度；該発射される流体の貫通の１つ又は複数を変えるように構成するステップを更に含む、請求項１９５〜１９７のいずれか一項に記載の方法。
【請求項１９９】
サーフィン装置の面であって、人が、請求項１によって規定される発射されるエネルギーによって、又は該面から、該面にわたって若しくは該面上に発射される流体により該面と少なくとも部分的に直接的に接触することによって該面上をサーフィンするように構成されており、該面は衝撃吸収材を含み、該衝撃吸収材は、少なくとも部分的に多孔性であり、少なくとも部分的に変形可能であり、衝撃時に少なくとも部分的に変形して該衝撃を少なくとも部分的に吸収するように構成されている、サーフィン装置の面。
【請求項２００】
前記面は、その外周の一部が：前記人；前記流体の１つ又は複数を収容するように構成されているバリア内に少なくとも延びる、請求項１９９に記載の面。
【請求項２０１】
前記面は：ＰＶＣ；ポリウレタン；ポリプロピレン；ポリエチレンの１つ又は複数を含む、請求項１９９又は２００に記載の面。
【請求項２０２】
前記衝撃吸収材の前記部分的に多孔性の特徴は、前記面からの前記流体の排水を容易にするように構成されている、請求項１９９〜２０１のいずれか一項に記載の面。
【請求項２０３】
前記衝撃吸収材は、前記人の安全性を少なくとも部分的に高めるように構成されている、請求項１９９〜２０２のいずれか一項に記載の面。
【請求項２０４】
前記衝撃吸収材は、前記面の１つ又は複数の少なくとも部分的に多孔性の領域を提供する、請求項１９９〜２０３のいずれか一項に記載の面。
【請求項２０５】
前記少なくとも部分的に多孔性の領域は前記面を実質的に覆う、請求項２０４に記載の面。
【請求項２０６】
前記他の面の残りの部分に対する前記少なくとも部分的に多孔性の領域の比として表される流体排水率が、ｓｑｍあたり約０．３５ｓｑｍ〜約０．７５ｓｑｍ、すなわち約３５％〜約７５％の範囲である、請求項２０４又は２０５に記載の面。
【請求項２０７】
前記流体排水率はｓｑｍあたり約０．５２ｓｑｍである、請求項２０６に記載の面。
【請求項２０８】
前記少なくとも部分的に多孔性の領域は孔を含む、請求項２０４〜２０７のいずれか一項に記載の面。
【請求項２０９】
前記孔は、矩形の孔をともに画定する、対向して位置決めされる仕切り又はストリップの２つの対応する対によって形成される、請求項２０８に記載の面。
【請求項２１０】
一対の前記対向して位置決めされる仕切り又はストリップ間の間隔は、約３ｍｍ〜約１５ｍｍの範囲であり、他方の対は約１５ｍｍ〜約５０ｍｍの範囲である、請求項２０９に記載の面。
【請求項２１１】
前記衝撃吸収材は、前記衝撃を吸収するように構成されている断面が実質的に厚い、請求項１９９〜２１０のいずれか一項に記載の面。
【請求項２１２】
前記仕切り又はストリップは、前記衝撃吸収材に一体的に形成される壁の縁を含む、請求項２０９〜２１１のいずれか一項に記載の面。
【請求項２１３】
前記衝撃吸収材は、該衝撃吸収材の１つ又は複数のパネルを含む、請求項１９９〜２１２のいずれか一項に記載の面。
【請求項２１４】
前記部分的に多孔性の材料は、衝撃時に急速に変形するように構成されている、請求項１９９〜２１３のいずれか一項に記載の面。
【請求項２１５】
前記部分的に多孔性の材料は、衝撃時に適度な速度で変形するように構成されている、請求項１９９〜２１３のいずれか一項に記載の面。
【請求項２１６】
前記変形は前記壁の変形を含む、請求項２１２〜２１５のいずれか一項に記載の面。
【請求項２１７】
衝撃時に少なくとも部分的に変形して該衝撃を少なくとも部分的に吸収するか又は拡散させるように構成されている衝撃吸収材であって、実質的に対向して位置決めされる仕切り又はストリップの２つの対向する対によって形成される孔を含み、該孔は流体を該衝撃吸収材に通すように位置決め及び構成されている、衝撃吸収材。
【請求項２１８】
一対の前記対向して位置決めされる仕切り又はストリップ間の間隔は、約３ｍｍ〜約１５ｍｍの範囲であり、他方の対は約１５ｍｍ〜約５０ｍｍの範囲である、請求項２１７に記載の衝撃吸収材。
【請求項２１９】
前記衝撃吸収材は、前記衝撃を吸収するように構成されている断面が実質的に厚い、請求項２１７又は２１８に記載の衝撃吸収材。
【請求項２２０】
前記仕切り又はストリップは、前記衝撃吸収材に一体的に形成される壁の縁を含む、請求項２１７〜２１９のいずれか一項に記載の衝撃吸収材。
【請求項２２１】
前記衝撃吸収材は、該衝撃吸収材の１つ又は複数のパネルを含む、請求項２１７〜２２０のいずれか一項に記載の衝撃吸収材。
【請求項２２２】
衝撃時に急速に変形するように構成されている、請求項２１７〜２２１のいずれか一項に記載の衝撃吸収材。
【請求項２２３】
衝撃時に適度な速度で変形するように構成されている、請求項２１７〜２２１のいずれか一項に記載の衝撃吸収材。
【請求項２２４】
前記変形は前記壁の変形を含む、請求項２２０〜２２３のいずれか一項に記載の衝撃吸収材。
【請求項２２５】
複数の部品からなるサーフィン装置キットであって、
ａ．少なくとも１つのエネルギー発射手段及び少なくとも１つのエネルギー発射構造体を構成する構成部材であって、前記エネルギー発射構造体は、構築されると、前記エネルギー発射手段を支持するとともに位置決めするように構成されている、構成部材、及び
ｂ．１つ又は複数のエネルギー発射位置において前記エネルギー発射手段を支持するとともに、前記エネルギー発射手段を、前記１つ又は複数の位置からエネルギーを発射し、人が、該発射されるエネルギーのみによって少なくとも部分的にサーフィンすることを可能にするように構成するよう前記エネルギー発射構造体を構成するための、前記構成部材の組み立てに関する取扱説明書
を含む、複数の部品からなるサーフィン装置キット。
【請求項２２６】
以下の：前記エネルギー発射手段の組み立て；前記エネルギー発射手段によって前記１つ又は複数の位置からエネルギーを発射し、人が、該発射されるエネルギーのみによって少なくとも部分的にサーフィンすることを可能にするための前記エネルギー発射構造体及び前記エネルギー発射手段の組み立ての１つ又は複数に関する取扱説明書を更に含む、請求項２２５に記載の複数の部品からなるサーフィン装置キット。
【請求項２２７】
前記キットは、安全面を構成する構成部材を更に含み、該安全面は、前記サーフィンが終了すると、自発的に又は別様に人を支持するように構成されている、請求項２２５又は２２６に記載の複数の部品からなるサーフィン装置キット。
【請求項２２８】
以下の：前記安全面の組み立て；前記サーフィンが終了すると自発的に又は別様に人を支持するための前記エネルギー発射構造体及び前記安全面の組み立ての１つ又は複数に関する取扱説明書を更に含む、請求項２２８に記載の複数の部品からなるサーフィン装置キット。
【請求項２２９】
前記キットは、流体逃がし手段を構成する構成部材を更に含み、該流体逃がし手段は前記面から余分な流体を除去するように構成されている、請求項２２５〜２２８のいずれか一項に記載の複数の部品からなるサーフィン装置キット。
【請求項２３０】
以下の：前記流体逃がし手段の組み立て；前記余分な流体を除去するための前記エネルギー発射構造体及び前記流体逃がし手段の組み立ての１つ又は複数に関する取扱説明書を更に含む、請求項２２９に記載の複数の部品からなるサーフィン装置キット。
【請求項２３１】
前記装置を流体上で又は少なくとも部分的に該流体内で支持するとともに、サーフィン面を前記流体の表面の上又はすぐ下に提供するように構成されている少なくとも１つの浮き手段を構成する構成部材を更に含む、請求項２２５〜２３０のいずれか一項に記載の複数の部品からなるサーフィン装置キット。
【請求項２３２】
本発明の前記１つの態様に関して、以下の：前記浮き手段の組み立て；前記装置を前記流体上で又は少なくとも部分的に該流体内で支持するための前記エネルギー発射構造体及び前記浮き手段の組み立ての１つ又は複数に関する取扱説明書を更に含む、請求項２３１に記載の複数の部品からなるサーフィン装置キット。
【請求項２３３】
前記面の１つ若しくは複数の部分又は全ての位置又は形状を、静的に若しくは動的に、又は静的及び動的の双方で調整する構成部材を更に含む、請求項２２７〜２３２のいずれか一項に記載の複数の部品からなるサーフィン装置キット。
【請求項２３４】
以下の：前記調整する構成部材の組み立て；前記サーフィン面の１つ若しくは複数の部分又は全ての位置又は形状を、静的に若しくは動的に、又は静的及び動的の双方でまたそれに対応して調整するための前記エネルギー発射構造体及び前記調整する構成部材の組み立ての１つ又は複数に関する取扱説明書を更に含む、請求項２３３に記載の複数の部品からなるサーフィン装置キット。
【請求項２３５】
サーフィン装置から発射されるエネルギーを受け取る少なくとも１つのエネルギー受け取り領域を含むサーフィン用の平面的な物体であって、少なくとも１つのエネルギー発射手段、及び該エネルギー発射手段を支持するとともに位置決めするエネルギー発射構造体を含み、前記エネルギー受け取り領域は、人が、前記発射されるエネルギーのみによって少なくとも部分的にサーフィンすることを可能にするように構成されている、サーフィン用の平面的な物体。
【請求項２３６】
前記少なくとも１つのエネルギー受け取り領域は、前記エネルギー発射手段が発射する特定の形態のエネルギーに適合されている、請求項２３５に記載のサーフィン用の平面的な物体。
【請求項２３７】
前記特定の形態のエネルギーは、１つ又は複数の形態のエネルギー及びそれらの任意の組み合わせを含む、請求項２３６に記載のサーフィン用の平面的な物体。
【請求項２３８】
流体の形態のエネルギーを発射するように少なくとも部分的に構成されている前記エネルギー発射手段の場合、前記少なくとも１つのエネルギー受け取り領域は少なくとも１つの起伏を含む、請求項２３７に記載のサーフィン用の平面的な物体。
【請求項２３９】
電磁放射の形態のエネルギーを発射するように少なくとも部分的に構成されているエネルギー発射手段の場合、前記少なくとも１つのエネルギー受け取り領域は、電磁放射の形態のエネルギーの吸収に適合されている、請求項２３７に記載のサーフィン用の平面的な物体。
【請求項２４０】
前記少なくとも１つのエネルギー受け取り領域は、金属材料若しくは磁気材料又は磁気材料及び金属材料の双方を少なくとも部分的に含む、請求項２３９に記載のサーフィン用の平面的な物体。
【請求項２４１】
少なくともデータを格納するように構成されているデータ手段を更に備える、請求項２３５〜２４０のいずれか一項に記載のサーフィン用の平面的な物体。
【請求項２４２】
前記データ手段はデータを検索するように更に構成されている、請求項２４１に記載のサーフィン用の平面的な物体。
【請求項２４３】
前記データ手段はリアルタイム動作するように構成されている、請求項２４１又は２４２に記載のサーフィン用の平面的な物体。
【請求項２４４】
少なくとも部分的に剛性の底面部分を更に含む、請求項２３５〜２４３のいずれか一項に記載のサーフィン用の平面的な物体。
【請求項２４５】
少なくとも部分的に軟質の上側部分を更に含む、請求項２３５〜２４３のいずれか一項に記載のサーフィン用の平面的な物体。
【発明の詳細な説明】
【技術分野】
【０００１】
本発明は、包括的には、ウォータースポーツのサーフィン及びスキーに関し、限定するものではないが特に、サーフィン又はスキーのシミュレーション及びそのようなシミュレーションの乗り面の衝撃材料に関する。しかし、これらの衝撃材料は、任意の用途に好適であり、したがって本発明の乗り面に限定されない。本発明はまた、例えばサーフボード若しくはブギーボード又はスキー板を含む、典型的なサーフィン又はスキーのシミュレーションに限定されない。
【背景技術】
【０００２】
サーフィンは、非常に普及しているスポーツであり、世界中で人気がある。これまで、サーフィンをシミュレートする多数の装置が設計されている。「Device and Method for Forming Waves」と題する特許文献１、並びに対応する特許出願及び特許は、本出願人の特許出願及び特許である。これらの特許出願及び特許の明細書は、サーフィンシミュレーションの一般的な背景技術を含んでいる。これらの特許出願及び特許の明細書は、当該技術分野の欠点も説明しているが、それらの欠点の幾つかは、本明細書に記載される本発明によって対処される。しかし、これらの欠点をより効果的に克服することが望ましい。
【先行技術文献】
【特許文献】
【０００３】
【特許文献１】オーストラリア特許第７７７３５５号
【発明の概要】
【課題を解決するための手段】
【０００４】
本発明の１つの態様では、少なくとも１つのエネルギー発射手段、及び当該エネルギー発射手段を支持するとともに位置決めする少なくとも１つのエネルギー発射構造体を備えるサーフィン装置であって、上記エネルギー発射構造体は、１つ又は複数のエネルギー発射位置において上記エネルギー発射手段を支持するように構成されており、当該エネルギー発射手段は、上記１つ又は複数の位置からエネルギーを発射し、人が、当該発射されるエネルギーのみによって少なくとも部分的にサーフィンすることを可能にするように構成されている、サーフィン装置が提供される。
【０００５】
本発明の別の態様では、衝撃吸収材であって、少なくとも部分的に多孔性であり、少なくとも部分的に変形可能であり、また衝撃時に少なくとも部分的に変形して当該衝撃を少なくとも部分的に吸収するように構成されている、衝撃吸収材が提供される。
【０００６】
本発明の更に別の態様では、複数の部品からなるサーフィン装置キットであって、
ａ．少なくとも１つのエネルギー発射手段及び少なくとも１つのエネルギー発射構造体を構成する構成部材であって、上記エネルギー発射構造体は、構築されると、上記エネルギー発射手段を支持するとともに位置決めするように構成されている、構成部材、及び
ｂ．１つ又は複数のエネルギー発射位置において上記エネルギー発射手段を支持するとともに、上記エネルギー発射手段を、上記１つ又は複数の位置からエネルギーを発射し、人が、当該発射されるエネルギーのみによって少なくとも部分的にサーフィンすることを可能にするように構成するよう上記エネルギー発射構造体を構成するための、上記構成部材の組み立てに関する取扱説明書
を含む、複数の部品からなるサーフィン装置キットが提供される。
【０００７】
本発明のまた更なる態様では、複数の部品からなるサーフィン装置キットであって、
ａ．少なくとも１つの少なくとも部分的に多孔性であるとともに少なくとも部分的に変形可能な衝撃面を構成する構成部材であって、上記衝撃面は、構築されると、当該衝撃面を通して流体を排水することを可能にするとともに、落下するライダーによる衝撃時に少なくとも部分的に変形して上記落下するライダーのエネルギーを少なくとも部分的に吸収するように構成されている、構成部材、及び
ｂ．上記衝撃面を、当該衝撃面を通して流体を排水するとともに、落下するライダーによる衝撃時に少なくとも部分的に変形して上記落下するライダーのエネルギーを少なくとも部分的に吸収するように構成するための、上記構成部材の組み立てに関する取扱説明書
を含む、サーフィン装置キットが提供される。
【０００８】
より好ましくは、上記取扱説明書は、本発明の上記１つの態様に関して、以下の：上記エネルギー発射手段の組み立て；上記エネルギー発射手段によって上記１つ又は複数の位置からエネルギーを発射し、人が、当該発射されるエネルギーのみによって少なくとも部分的にサーフィンすることを可能にするための上記エネルギー発射構造体及び上記エネルギー発射手段の組み立ての１つ又は複数に関する取扱説明書を更に含む。
【０００９】
好ましい実施形態では、上記エネルギー発射手段及び上記エネルギー発射構造体は、人が、上記発射されるエネルギーのみによって少なくとも実質的にサーフィンすることを可能にするように構成されている。
【００１０】
好ましくは、上記エネルギー発射手段及び上記エネルギー発射構造体の１つ又は複数は、海の波をシミュレートするように構成されている。より好ましくは、上記エネルギー発射手段及び上記エネルギー発射構造体の１つ又は複数は、使用時に、上記人と組み合わせて、当該人がサーフィンするサーフィン面を提供するように構成されている。上記サーフィン面は、好ましくは上記人と上記発射されるエネルギーとの相互作用によって提供される。より好ましい実施形態では、上記エネルギー発射手段は、上記サーフィン面に近接した位置からエネルギーを発射するように更に構成されている。好ましくは、上記近接した位置は、使用時に、上記サーフィン面にあるか又は当該サーフィン面の下にある。
【００１１】
好ましくは、上記装置は安全面を更に含み、それに対応して、上記複数の部品からなるキットは、好ましくは上記安全面を構成する構成部材を更に含み、上記安全面は、上記サーフィンが終了すると、自発的に又は別様に人を支持するように構成されている。より好ましくは、上記取扱説明書は、本発明の上記１つの態様に関して、以下の：上記安全面の組み立て；上記サーフィンが終了すると自発的に又は別様に人を支持するための上記エネルギー発射構造体及び上記安全面の組み立ての１つ又は複数に関する取扱説明書を更に含む。
【００１２】
１つの好ましい実施形態の上記エネルギー発射手段は、流体を発射するように構成されている。この好ましい実施形態では、上記エネルギー発射手段は、好ましくはエネルギー発射出口を含み、より好ましくはノズルを含む。代替的な好ましい実施形態では、エネルギー発射手段は、例えば電磁エネルギーを発射するように構成されている。また別の代替的な好ましい実施形態では、エネルギー発射手段は、流体及び電磁エネルギー、並びに好適な代替的な非特定の形態のエネルギーの１つ又は複数の組み合わせを発射するように構成されている。エネルギー発射手段は、好ましくはエネルギーを上記人に移動させる最も効果的な方法を提供するように構成されている。
【００１３】
エネルギー発射手段は、好ましくは１平方メートルあたり約１５０ｋｇｆ〜１平方メートルあたり約５００ｋｇｆの範囲の値のエネルギーを発射するように構成されている。
【００１４】
エネルギー発射手段は、好ましくは上記面に対して接線方向である接線平面に対して約５度〜約３５度の範囲の角度でエネルギーを発射するように構成されている。しかし、発射角度は、より好ましくは約１０度〜約３５度の範囲である。代替的な好適な実施形態では、上記エネルギー発射手段は、好ましくは上記接線平面に対して約５度〜約２５度の範囲の角度でエネルギーを発射するように構成されている。
【００１５】
１つの代替的な好ましい実施形態では、上記エネルギー発射手段は、流体の形態のエネルギーを少なくとも部分的に連続的に発射するように更に構成されている。より好ましくは、上記代替的な好ましい実施形態は、実質的に、流体発射手段の形態のエネルギー発射手段のみを含む。
【００１６】
好ましくは、上記装置は、流体逃がし手段を更に備え、それに対応して、上記複数の部品からなるキットは、好ましくは上記流体逃がし手段を構成する構成部材を更に含み、上記流体逃がし手段は上記面から余分な流体を除去するように構成されている。より好ましくは、上記取扱説明書は、本発明の上記１つの態様に関して、以下の：上記流体逃がし手段の組み立て；上記余分な流体を除去するための上記エネルギー発射構造体及び上記流体逃がし手段の組み立ての１つ又は複数に関する取扱説明書を更に含む。この代替的な実施形態では、上記余分な流体は、好ましくは上記サーフィンと悪い方向に相互作用する流体である。上記流体逃がし手段はより好ましくは上記サーフィンを変更するように構成されている。この変更は、より好ましくは上記サーフィンの難易度を変えるように構成されている。しかし、流体逃がし手段は、例えば上記サーフィンの少なくとも以下の特徴：抗力；流体発射角度；当該発射される流体の貫通の１つ又は複数を変えるようにより具体的に構成することができる。
【００１７】
更により好ましくは、上記流体逃がしは、静的に若しくは動的に、又は静的及び動的の双方で調整可能である。静的な調整は、好ましくは上記装置が一時的に動作していないときに行われる調整を含む。対照的に、動的な調整は、好ましくは上記サーフィン中に行われる調整を含む。上記静的及び動的な調整は、１つの好ましい実施形態では、静的及び動的の双方の調整が同じ実施形態で提供されるか否かに関係なく、それぞれ対応する制御部の手動の調整によって手動で行われる。しかし、静的及び動的の調整は自動化することができる。更により好ましくは、上記流体逃がしは、上記面の異なる位置において独立して調整可能であるため、異なる位置において異なる値に設定することができる。上記調整は、好ましくは例えば上記流体逃がしの制限を変えることを含むことができる、上記流体逃がしの低下又は増大によって行われる。
【００１８】
上記流体逃がしの低下又は増大は、好ましくは上記サーフィンに関連する抗力をそれぞれ増大又は低下させる。更に好ましい実施形態では、流体逃がし手段は、より好ましくは上記抗力を制御することによって海の波の力をシミュレートするように調整される。上記代替的な実施形態のより好ましい形態では、上記流体逃がし手段は、上記抗力を制御することによって上記サーフィンの安定性を高めるように更に構成されている。
【００１９】
上記代替的な実施形態の更により好ましい形態では、上記流体逃がし手段の上記調整は、上記流体発射角度を変化させるように構成されている。流体逃がしの低下又は増大によって、上記流体発射角度がそれぞれ低下又は増加する。流体発射角度に対する上記変化は、好ましくは上記面から或る距離を置いて生じるが、そうではなく上記面に近接して生じてもよい。
【００２０】
上記代替的な実施形態のまた更に好ましい形態では、流体逃がし手段の調整は、上記エネルギーが上記面から移動する距離を低減しながら、上記エネルギーの移動を実質的に維持するように構成されている。上記代替的な実施形態のまた更に好ましい形態では、低下した流体逃がしによって、上記発射される流体が上記面に対してより鋭角に向かって曲がる。上記サーフィン装置に関して上記曲がることは、好ましくは海の波に関してより上昇することに実質的に等しい。現在では、上記曲がること及び上記上昇することが上記のように等しいことは、上記発射手段に向かって上記人を降下させることに起因するものであると理解されている。
【００２１】
上記流体逃がし手段は、好ましくは発射される流体の約１００％〜約５０％の範囲内で流体を逃がすようになっている。上記流体逃がし手段は、例えば、以下の：吸引若しくは真空；重力；又は遠心力の少なくとも１つ又は複数を含むことができる。
【００２２】
本発明のこの態様の更に好ましい形態では、上記面は細長く、当該細長い面の長手方向長さに沿うサーフィン用に構成されている。
【００２３】
本発明のこの態様のより好ましい形態では、上記エネルギー発射手段は、上記細長い面の長手方向の縁に対して約４５度〜約１３５度の範囲の角度でエネルギーを発射するように構成されている。本発明のこの態様の別の代替的な好ましい形態では、サーフィン面は、海の波の形状をシミュレートするような形状である。この他の代替的な好ましい形態では、上記長手方向の縁は上記面のより小さい細長い縁も含む。
【００２４】
より好ましくは、上記装置の以下の特徴：上記発射されるエネルギーの上記量；上記エネルギー発射角度；上記面の上記形状の少なくとも１つ又は複数は、静的に若しくは動的に、又は静的及び動的の双方で調整可能である。上記特徴はより好ましくは独立して調整可能である。更により好ましくは、特定の特徴を、上記面の異なる位置において独立して調整可能であるため、特定の特徴は異なる位置において異なる値に設定することができる。上記特徴の上記静的及び動的な調整は、好ましくは静的及び上記動的な流体逃がしの調整に対応する。好ましくは、調整は、上記手動及び自動の流体逃がしの調整に対応する手動の及び自動の調整の制御も更に含む。
【００２５】
更に好ましい実施形態では、上記装置は、以下の：上記エネルギー発射手段の上記位置；及びそのエネルギー発射能力を含む上記エネルギー発射手段の少なくとも１つ又は複数を静的に調整するように構成されている。上記エネルギー発射手段の上記静的な調整は、好ましくは静的な流体逃がしの調整に対応する。好ましくは、調整は、上記手動及び自動の流体逃がしの調整に対応する手動及び自動の調整の制御も更に含む。
【００２６】
本発明のこの態様のまた更に代替的な好ましい形態では、上記サーフィン面は、海の波の形状をシミュレートするような形状ではなく、実質的に水平である。このまた更に代替的な好ましい形態では、上記サーフィン面はまた、好ましくは実質的に平坦である。より好ましくは、上記また更に代替的な好ましい形態の上記面は、流体の上にある。好ましくは、上記装置は、少なくとも１つの浮き手段を更に備え、それに対応して、上記複数の部品からなるキットは、好ましくは上記装置を上記流体上で又は少なくとも部分的に当該流体内で支持するとともに、上記サーフィン面を上記流体の表面の上又はすぐ下に提供するように構成されている上記少なくとも１つの浮き手段を構成する構成部材を更に含む。より好ましくは、上記取扱説明書は、本発明の上記１つの態様に関して、以下の：上記浮き手段の組み立て；上記装置を上記流体上で又は少なくとも部分的に当該流体内で支持するための上記エネルギー発射構造体及び上記浮き手段の組み立ての１つ又は複数に関する取扱説明書を更に含む。１つ又は複数の浮き手段は例えば、上記装置と一体的に形成することができる。代替的には、浮き手段は上記装置に接続してもよい。
【００２７】
上記浮き手段は、好ましくは１つ又は複数の浮き機構を含む。当該１つ又は複数の浮き機構のそれぞれは、好ましくは少なくとも１つの浮きを含む。当該浮きは、好ましくは２つ以上の浮き位置間で少なくとも静的に調整可能である。代替的な好ましい浮きの実施形態では、上記浮きは動的に調整可能である。この代替的な好ましい浮きの実施形態は、上記静的に調整可能な浮きの実施形態を更に含むことができる。更に代替的な浮きの実施形態では、上記面の異なる領域に設けられる浮き支持体を、静的に若しくは動的に、又は静的及び動的の双方で独立して調整可能である。
【００２８】
上記静的及び動的な浮きの調整は、好ましくは静的及び上記動的な流体逃がしの調整に対応する。好ましくは、調整は、上記手動及び自動の流体逃がしの調整に対応する手動及び自動の調整の制御も更に含む。
【００２９】
本発明のこの態様の１つの好ましい形態では、上記装置は、別のサーフィン面であって、使用時に上記面の下に位置決めされ、上記エネルギー発射手段からのエネルギーを当該他の面内から発射するか、又は当該他の面の下から当該他の面を通して発射するように構成されている別のサーフィン面を更に含む。
【００３０】
上記浮き手段は、好ましくは上記他の面を支持するように当該他の面の下に実質的に等間隔に分散している。上記浮き手段は、好ましくは１平方メートルあたり約１個の浮き〜１平方メートルあたり約１００個の浮きの範囲の浮きの密度を有する。当該浮きの密度は、好ましくは以下の：上記装置の所望の特徴；浮きの浮力の１つ又は複数に依存する。上記浮きの好ましい浮力は、１００ｍｍの深さでｓｑｍあたり約４０ｋｇｓ〜１００ｍｍの深さでｓｑｍあたり約３００ｋｇｓの範囲である。
【００３１】
上記浮き手段が、トランポリン効果を提供するように構成されており、それによって、上記他の面が上記流体内へ押し下がることによって当該面がその後で上記流体によって上方へ押しやられることも好ましい。上記トランポリン効果は、好ましくはサーフィンの動きを少なくとも部分的に容易にするように構成されている。上記トランポリン効果はまた、好ましくは楽しさを少なくとも部分的に高める。
【００３２】
本発明のこの態様のまた更に代替的な好ましい形態では、上記他の面は、好ましくは隆起した領域を更に含む。当該隆起した領域は、好ましくは、以下の：障害物；斜面の少なくとも１つ又は複数を提供する。
【００３３】
好ましくは、上記エネルギー発射構造体は、上記サーフィン面の１つ若しくは複数の部分又は全ての位置又は形状を、静的に若しくは動的に、又は静的及び動的の双方で調整するように更に構成されており、それに対応して、上記複数の部品からなるキットは、好ましくは上記調整のための構成部材を更に含む。より好ましくは、上記取扱説明書は、本発明の上記１つの態様に関して、以下の：上記調整する構成部材の組み立て；上記サーフィン面の１つ若しくは複数の部分又は全ての位置又は形状を、静的に若しくは動的に、又は静的及び動的の双方でまたそれに対応して調整するための上記エネルギー発射構造体及び上記調整する構成部材の組み立ての１つ又は複数に関する取扱説明書を更に含む。上記位置の調整は、例えば、垂直、水平、又はそれらの任意の組み合わせであり得る。上記支持手段に関する上記静的及び動的な調整は、好ましくは静的及び上記動的な流体逃がしの調整に対応する。好ましくは、上記構造体は、上記手動及び自動の流体逃がしの調整に対応する手動及び自動の調整の制御を更に含む。上記エネルギー発射構造体を介した上記調整は、好ましくは海の波をシミュレートするように構成されている。
【００３４】
より好ましくは、上記構造体は、上記流体逃がし手段を支持するように更に構成されている。本発明のこの態様の１つの好ましい形態では、上記エネルギー発射構造体は支持ケーブルを含む。
【００３５】
本発明の上記また更なる態様の上記衝撃面は、好ましくは本発明の上記１つの態様の上記他の面を含む。上記他の面は好ましくはＰＶＣから形成される。しかし、ＰＶＣの代わりに又はＰＶＣに加えて他の材料を用いてもよいことが当業者には容易に明らかであろう。上記他の面は、好ましくは上記サーフィンが終了すると、自発的に又は別様に１人又は複数人の上記人を支持するように構成されている。人を支持することを含む上記他の面のこの好ましい形態では、上記他の面は上記安全面を含む。好ましくは、上記支持ケーブルは、上記他の面を支持するために当該他の面の下を通る。上記ケーブルは、好ましくは上記他の支持面の下でループ状になっている。
【００３６】
好ましくは、上記エネルギーと上記他の面との間で生じる上記サーフィンに対するいかなる有意な上記相互作用も、上記サーフィンを上記可能にした後でのみ生じる。上記発射されるエネルギーは、好ましくは、上記人が、上記他の面と接触することなく、また当該接触から生じる対応する摩擦なく上記面上を実質的にサーフィンすることを可能にするように更に構成されている。
【００３７】
上記他の面は、好ましくは少なくとも部分的に多孔性であり、当該面からの流体の排水を容易にする。上記サーフィン装置の上記１つの態様の上記他の面は、好ましくは本発明の上記他の態様の上記衝撃吸収材を含む。上記少なくとも部分的に変形可能な他の面は、好ましくはライドの安全性を少なくとも部分的に高めるように構成されている。
【００３８】
好ましくは、本発明の上記１つの態様又は他の態様の上記少なくとも部分的に多孔性の材料は少なくとも部分的に多孔性の領域を含む。上記面に対する上記少なくとも部分的に多孔性の領域の比として表される流体逃がし率がｓｑｍあたり約０．５２ｓｑｍであることが好ましい。しかし、上記流体逃がし率の好ましい範囲は、ｓｑｍあたり約０．３５ｓｑｍ〜約０．７５ｓｑｍ、すなわち約３５％〜約７５％の範囲である。
【００３９】
上記少なくとも部分的に多孔性の領域は好ましくは孔を含む。孔は、好ましくは矩形の孔をともに画定する、対向して位置決めされる仕切り又はストリップの２つの対応する対によって形成される。本発明の上記他の態様の上記材料は、好ましくは上記衝撃を吸収するように構成されている断面が実質的に厚い。衝撃バリアに関して、例えば衝撃バリアは、例えば太い支柱若しくはレール、又は双方を含むことができる。本発明の上記１つの態様の上記他の面に好適な上記材料の好ましい形態では、上記材料は当該材料のシートを含む。上記仕切り又はストリップは、好ましくは上記実質的に厚いシートに一体的に形成される壁の縁を含む。一対の上記対向して位置決めされる仕切り、ストリップ又は壁間の間隔は、好ましくは約３ｍｍ〜約１５ｍｍの範囲であり、他方の対は約１５ｍｍ〜約５０ｍｍの範囲である。
【００４０】
上記部分的に多孔性の材料又はその幾つかの領域は、異なる量だけ変形するように構成することができ、他の変形特徴が異なるように構成することもできる。例えば、上記サーフィン装置の上記部分的に多孔性の面は、１つの好ましい形態では迅速に変形し、変形の量は相当なものである。代替的な好ましい形態では、上記部分的に多孔性の面は、よりゆっくりと変形し、変形の量はより少ない。変形の量及び他の変形特徴が異なることは、例えば異なる材料、材料の厚さ若しくは密度、又はこれらの１つ又は複数の組み合わせによって提供することができる。この変形は、好ましい形態では、上記実質的に厚いシートの上記壁が座屈することを含む。しかし、代替的な形態では、座屈は、例えば衝撃バリアにおいて生じる。
【００４１】
上記ケーブルはまた、好ましくは落下するライダーの衝撃を少なくとも部分的に吸収する。本発明の好ましい形態では、ケーブルは上記他の面の下でループ状になっている。ケーブルはしたがって少なくとも部分的に緩んでいる。落下するライダーの上記衝撃の場合、この緩みによって、ケーブルが当該ケーブルの衝撃地点に近接する上記ライダーから少なくとも部分的に離れることが可能になる。このように離れることによって衝撃を少なくとも部分的に吸収する。しかし、離れることによって、上記ライダーの両側における上記ケーブルの対応する移動、及び上記両側の領域における上記他の面の少なくとも部分的な上昇も生じる。上記上昇は好ましくは、好ましい形態では、好ましくは上記他の面の少なくとも重量が上昇することによって、上記衝撃の吸収にも寄与する。本発明のより好ましい形態では、上記ケーブルは、上記落下するライダーの衝撃を最小限に吸収し、上記衝撃は主に上記部分的に多孔性の面によって吸収される。
【００４２】
上記変形は、好ましくは上記サーファーが上記少なくとも部分的に多孔性の領域上をサーフィンするときに上記流体逃がしを一時的に低下させることによって、上記サーフィンの質を少なくとも部分的に高めるようにも構成されている。流体逃がしは、好ましくは多孔性を低下させることによって一時的に低下する。本発明の好ましい形態では、多孔性は、上記スロットの縁を座屈させるとともに対応する孔を制限するか又は絞ることによって低下する。流体逃がしの低下によって、上記他の面上の流体の量が増大し、これによって、上昇が増し、ライダーが更に上記他の面から離れるように押される。
【００４３】
上記一時的な流体逃がしの低下の別の利点は、上記他のサーフィン面から排水される流体の排水速度が少なくとも部分的に低下することである。排水速度のこの低下は、上記サーファーが上記発射されるエネルギーのみによって上記他の面上を少なくとも部分的にサーフィンすることを可能にするのに必要な上記発射されるエネルギーの発射速度を低下させることによって、上記サーフィン装置のエネルギー使用を少なくとも部分的に低減する。
【００４４】
上記他の面は好ましくはモジュール式であり、接続されたモジュールから構成される。上記モジュールは好ましくは：上記他の面の少なくとも一部；及び少なくとも１つのエネルギー発射出口の１つ又は複数をそれぞれ含む。より好ましくは、上記モジュールは、接続されて上記エネルギー発射構造体を形成するように構成されている、当該構造体の構造部材を更に含む。各モジュールは、好ましくは隣接して位置決めされるモジュールを接続する接続手段を更に含む。当該接続手段は、より好ましくはそのエネルギー発射出口と上記流体発射手段とを接続するように更に構成されている。上記接続手段は、好ましくは上記モジュールのアセンブリを固定して上記装置を構成するように更に構成されている。上記接続手段は、例えば、機械的又は化学的な接続に適合することができる。機械的な接続は、例えば、噛み合い部分、圧着、紐、クリップ若しくはナット及びボルト等の締結具、ケーブル、ピン、縫い合わせ、螺合、支持基材に支持されるキャビティ、又はこれらの任意の組み合わせを含むことができる。化学的な接続は、例えば、熱結合、超音波溶接若しくは糊付け、又はこれらの組み合わせを含むことができる。より好ましくは、上記接続手段は、上記装置の分解及び再組み立てのために着脱可能である。この着脱可能な特徴は、好ましくは上記装置を変更するように構成されている。上記変更は好ましくは、最も典型的には：特に上記面のレイアウト；又は性能の１つ又は複数を含む。しかし、上記着脱可能な特徴は、上記装置を分解し、分解された構成部材を別の場所へ移動させて上記装置を再び組み立てることに更に適しているものとすることができる。
【００４５】
上記モジュールは、好ましくは上記流体逃がし手段及び上記浮き手段の１つ又は複数を更に含む。
【００４６】
上記エネルギー発射出口は、好ましくは実質的に等間隔に離間している。しかし、上記面の上記形状に起因して、効果的な間隔は、上記サーフィン面の異なる領域について少なくとも部分的に可変である。上記効果的な間隔の可変の性質によって、上記発射されるエネルギーに対する分解効果が生じる。この分解効果は、上記サーフィン面への上記発射されるエネルギーの発射の有効表面積を変える。好ましい実施形態では、分解効果は、上記サーフィン面に発射されるエネルギーの濃度を効果的に少なくとも部分的に変える。
【００４７】
上記ノズルは、好ましくは上記長手方向長さと実質的に位置合わせされる長手方向に、約５０ｍｍ〜約３００ｍｍの範囲の距離だけ離間する。好ましくは、上記ノズルは、上記長手方向長さに対して横断方向に、約２５０ｍｍ〜約６００ｍｍの範囲の距離だけ離間する。サーフィン装置は、好ましくは上記他の面の１平方メートルあたり約６個〜約６０個の流体発射ノズルを含む。当該ノズルは、好ましくは完全にではなくほぼ円形の断面である。好ましくは、上記ノズルは、約２０ｍｍ〜約１２０ｍｍの範囲の有効径を有する。
【００４８】
流体発射ノズルは好ましくはカバー手段を含む。カバー手段は、好ましくは望ましくない粒子又は物体がノズルに入ることを防止するように構成されている。カバー手段は好ましくは、人の目、指又はつま先等の部分がノズルに入ることも防止する。好ましくは、上記カバー手段は網を含む。当該網は、好ましくは約１０平方ｍｍ〜約１０００平方ｍｍの範囲の孔サイズを有する。上記網の孔サイズは、種々の孔の形状を含むことができ、したがって、好ましくは有効孔サイズである。
【００４９】
エネルギー発射手段は、好ましくは人が少なくとも実質的に平面的な物体を用いて上記サーフィン面上をサーフィンすることを可能にするように構成されている。好ましくは、上記平面的な物体は、上記発射されるエネルギーを受け取るように構成されている少なくとも１つのエネルギー受け取り領域を更に含む。上記少なくとも１つのエネルギー受け取り領域は、好ましくは上記エネルギー発射手段が発射する特定の形態のエネルギーに適合されている。流体の形態のエネルギーを発射するように少なくとも部分的に構成されているエネルギー発射手段の場合、上記少なくとも１つのエネルギー受け取り領域は少なくとも１つの起伏を含む。電磁放射の形態のエネルギーを発射するように少なくとも部分的に構成されているエネルギー発射手段の場合、上記少なくとも１つのエネルギー受け取り領域は、電磁放射の形態のエネルギーの吸収に適合されている。当該電磁放射の好ましい少なくとも１つのエネルギー受け取り領域は、好ましくは金属材料若しくは磁気材料又は磁気材料及び金属材料の双方を少なくとも部分的に含む。上記平面的な物体は、好ましくは少なくともデータを格納するように構成されているデータ手段を更に含む。当該データ手段は好ましくはデータを検索するように更に構成されている。更に好ましい実施形態では、上記データ手段はリアルタイム動作するように構成されている。上記平面的な物体は、好ましくは少なくとも部分的に剛性の底面部分を更に含む。より好ましい実施形態では、上記平面的な物体は少なくとも部分的に軟質の上側部分を更に含む。好ましい形態では、上記平面的な物体は、例えば：上記少なくとも１つのエネルギー受け取り領域；上記少なくとも１つの起伏；上記データ手段；上記少なくとも部分的に剛性の底面部分；及び上記少なくとも部分的に軟質の上側部分の１つ又は複数を有するサーフボード又はブギーボードを含む。流体発射手段の形態のエネルギー発射手段を含む本発明の好ましい形態では、上記実質的に平面的な物体は、少なくとも実質的に従来のサーフボード又はブギーボードを更に含む。
【００５０】
上記装置の１つの好ましい形態は、上記サーフィン中に上記人を更に支持するサーフィン支持手段を備える。１つの好ましい形態では、上記サーフィン支持手段は例えばケーブル又はロープである繋ぎ手段を含み、繋ぎ手段は、一端が上記面に対して固定され、他端が上記人を保持するように構成されている。より好ましくは、上記エネルギー発射手段は、上記サーフィン中に上記繋ぎ手段に少なくとも部分的に一定の張りを持たせるために、所定の方向範囲内でエネルギーを発射するように構成されている。
【００５１】
本発明の更なる態様では、サーフィンを可能にする方法であって、
ａ．少なくとも１つのエネルギー発射手段を準備するステップ、
ｂ．上記エネルギー発射手段を支持するとともに位置決めする少なくとも１つのエネルギー発射構造体を準備するステップ、
ｃ．１つ又は複数のエネルギー発射位置において上記エネルギー発射手段を支持するように上記エネルギー発射構造体を構成するステップ；及び
ｄ．上記エネルギー発射手段を、上記１つ又は複数の位置からエネルギーを発射するように構成し、人が、上記発射されるエネルギーのみによって少なくとも部分的にサーフィンすることを可能にするステップ
を含む、サーフィンを可能にする方法が提供される。
【００５２】
好ましくは、本発明の上記更なる態様は、上記エネルギー発射手段及び上記エネルギー発射構造体を、人が、上記発射されるエネルギーのみによって少なくとも実質的にサーフィンすることを可能にするように構成するステップを更に含む。
【００５３】
好ましくは、上記方法は、上記エネルギー発射手段及び上記エネルギー発射構造体の１つ又は複数を、海の波をシミュレートするように構成するステップを更に含む。より好ましくは、上記方法は、上記エネルギー発射手段及び上記エネルギー発射構造体の１つ又は複数を、使用時に、上記人と組み合わせて、当該人がサーフィンするサーフィン面を提供するように構成するステップを含む。上記面を提供するステップは、好ましくは上記人と上記発射されるエネルギーとの相互作用を可能にするステップを更に含む。上記更なる態様に関して、上記方法は、より好ましくは、上記エネルギー発射手段を、上記面に近接した位置からエネルギーを発射するように構成する更なるステップを含む。好ましくは、上記エネルギーを上記近接した位置から発射するステップは、エネルギーを、使用時に上記面にあるか又は当該面の下にある位置から発射するステップを更に含む。
【００５４】
本発明の上記更なる態様のより好ましい形態は、上記エネルギー発射手段に関して１つ又は複数のエネルギー発射出口を設けるステップを更に含む。
【００５５】
上記方法は、好ましくは、上記エネルギー発射手段を、流体を発射するように構成するステップを更に含む。この好ましい形態では、上記方法は、好ましくはノズルの形態のエネルギー発射出口を設けるステップを更に含む。代替的な好ましい実施形態では、上記方法は、代替的には、上記エネルギー発射手段を、例えば電磁エネルギーである代替的な形態のエネルギーを発射するように構成するステップを含む。また別の代替的な好ましい実施形態では、上記方法は、代替的には、上記エネルギー発射手段を、流体及び電磁エネルギー、並びに好適な代替的な非特定の形態のエネルギーの１つ又は複数の組み合わせを発射するように構成するステップを含む。
【００５６】
本発明の上記更なる態様の１つの好ましい実施形態は、流体の形態のエネルギーを少なくとも部分的に連続的に発射するステップを更に含む。より好ましくは、この更なるステップは、実質的に流体発射手段の形態のエネルギー発射手段のみを準備することを含む。上記１つの好ましい実施形態は、好ましくは上記面から余分な流体を除去する逃がし手段を設けるステップを更に含む。この好ましい実施形態では、上記余分な流体は、好ましくは上記サーフィンと悪い方向に相互作用する流体である。上記更なるステップは、より好ましくは、上記流体逃がし手段を、上記サーフィンを変更するように構成するステップを含む。この変更するステップは、より好ましくは上記サーフィンを変更して当該サーフィンの難易度を変えるステップを含む。しかし、流体逃がし手段を設けるステップは、上記流体逃がし手段を、例えば上記サーフィンの少なくとも以下の特徴：抗力；流体発射角度；当該発射される流体の貫通の１つ又は複数を変えるように構成するステップを更に含むことができる。
【００５７】
本発明のまた更なる態様では、サーフィン装置から発射されるエネルギーを受け取る少なくとも１つのエネルギー受け取り領域を含むサーフィン用の平面的な物体であって、少なくとも１つのエネルギー発射手段、及び当該エネルギー発射手段を支持するとともに位置決めするエネルギー発射構造体を含み、上記エネルギー受け取り領域は、人が、上記発射されるエネルギーのみによって少なくとも部分的にサーフィンすることを可能にするように構成されている、平面的な物体が提供される。
【００５８】
本発明のこのまた更なる態様の上記平面的な物体の上記少なくとも１つのエネルギー受け取り領域は、好ましくは上記エネルギー発射手段が発射する特定の形態のエネルギーに適合されている。上記特定の形態のエネルギーは、好ましくは本発明の上記また更なる態様に関して規定した１つ又は複数の形態及びそれらの任意の組み合わせを含む。流体の形態のエネルギーを発射するように少なくとも部分的に構成されているエネルギー発射手段の場合、上記少なくとも１つのエネルギー受け取り領域は少なくとも１つの起伏を含む。電磁放射の形態のエネルギーを発射するように少なくとも部分的に構成されているエネルギー発射手段の場合、上記少なくとも１つのエネルギー受け取り領域は、電磁放射の形態のエネルギーの吸収に適合されている。当該電磁放射の好ましい少なくとも１つのエネルギー受け取り領域は、好ましくは金属材料若しくは磁気材料又は磁気材料及び金属材料の双方を少なくとも部分的に含む。本発明の上記また更なる態様の上記平面的な物体は、好ましくは少なくともデータを格納するように構成されているデータ手段を更に含む。当該データ手段は好ましくはデータを検索するように更に構成されている。更に好ましい実施形態では、上記データ手段はリアルタイム動作するように構成されている。上記平面的な物体は、好ましくは少なくとも部分的に剛性の底面部分を更に含む。より好ましい実施形態では、本発明の上記また更なる態様の上記平面的な物体は、少なくとも部分的に軟質の上側部分を更に含む。好ましい形態では、上記平面的な物体は、例えば：上記少なくとも１つのエネルギー受け取り領域；上記少なくとも１つの起伏；上記データ手段；上記少なくとも部分的に剛性の底面部分；及び上記少なくとも部分的に軟質の上側部分の１つ又は複数を有するサーフボード又はブギーボードを含む。流体発射手段の形態のエネルギー発射手段を含む本発明の好ましい形態では、本発明の上記また更なる態様の上記実質的に平面的な物体は、少なくとも実質的に従来のサーフボード又はブギーボードを更に含む。
【００５９】
本明細書における「サーフィン」への言及はいずれも、ウォータースポーツのスキーを含む。
【００６０】
特許文献１、並びに本明細書において上記で出願人が参照した対応する特許出願及び特許は、参照により本明細書に援用される。しかし、このような援用は、それらの特許出願及び特許の明細書の内容のいずれかが、本願の発明の各明細書の優先日以前にオーストラリア又は他国において存在したかのように、本発明に関連する分野における一般知識であったことを認めるものと捉えられるべきではない。出願人がこれらの特許出願及び特許を言及することによって直接的又は間接的に言及される全ての他の刊行物、並びに、本明細書に含まれる文献、動作、材料、装置、論文、方法等の任意の関連する記載は、本発明の背景を提供する目的に過ぎない。これらの他の刊行物に関連して記載されていることのいずれか又は全てが、従来技術のベースの一部を形成するか、又は本願の発明の各明細書の優先日以前にオーストラリア又は他国において存在したかのように、本発明に関連する分野における一般知識であったことを認めるものと捉えられるべきではない。
【００６１】
ここで、本発明の好ましい実施形態を、添付の図面を参照して専ら例示として記載する。
【図面の簡単な説明】
【００６２】
【図１】本発明のサーフィン装置の一例の斜視図である。
【図１ａ】図１の装置の一部の斜視図である。
【図２】図１及び図１ａの装置の断面図である。
【図３】本発明のサーフィン装置の代替的な例の断面図である。
【図４】本発明のサーフィン装置の一例の斜視図である。
【図５ａ】本発明の排水の例を示す、図４のサーフィン装置の断面線図である。
【図５ｂ】本発明の排水の別の例を示す、図４のサーフィン装置の断面線図である。
【図６】図４のサーフィン装置の排水の別の例の斜視図である。
【図６ａ】サーフィン装置の他の面の一例の概略平面図である。
【図６ｂ】図６ａの他の面の斜視図である。
【図６ｃ】図６ａ及び図６ｂの他の面の概略側面図である。
【図６ｄ】サーフィン装置の支持ケーブルを示す概略斜視図である。
【図７】図１及び図４の本発明のサーフィン装置の例の正面図である。
【図８】本発明のサーフィン装置の一例の斜視図である。
【図９】本発明のサーフィン装置の一例の断面図である。
【図１０】調整を図式的に示す、図９の本発明のサーフィン装置の例の断面図である。
【図１１】本発明のサーフィン装置の別の例の断面図である。
【発明を実施するための形態】
【００６３】
図１を参照すると、乗り物１０が本発明のサーフィン装置の好ましい実施形態の一例であり、ノズル２０の形態の少なくとも１つのエネルギー発射手段、及び支持構造体３０の形態の、ノズル２０を支持するとともに位置決めする少なくとも１つのエネルギー発射構造体を備える。この特定の例では、ノズル２０は、流体４０の形態のエネルギーを発射するように設計されている。図２は、支持構造体３０が２つの末端位置５０及び６０間にあることが可能である調整の例を示している。ノズル２０は、図示のように流体４０を発射するように設計されるとともに制御される。発射される流体４０は、人７０がサーフィン７６することを可能にする、本発明の流体発射の一例である。この特定の例では、人７０は、全体に流体４０との直接的な接触によって、この特定の例では面８０を含む本発明の別の面とは基本的に独立してサーフィン７６する。面８０はＰＶＣから形成される。ノズル２０は、基本的に面８０の平面にある位置から流体４０を発射する。
【００６４】
人７０は、以下のように形成される面９０の形態の本発明の面上でサーフィン（７６）する。図１ａを参照すると、サーフィン７６には、この特定の例ではサーフボード１００の形態である平面的な物体が伴う。サーフボード１００は、従来のサーフボードによく似た外見を有するが、以下で説明する差異を有する。流体４０とサーフボード１００の下面１１０との相互作用によって面９０が形成される。この特定の例の面９０は面８０の上に位置決めされる。サーファー７０は、面８０と基本的には大きく接触することなく面９０上でサーフィン７６する。サーファー７０はしたがって、基本的に、面８０との接触から生じるであろういかなる摩擦もなくサーフィン（７６）する。
【００６５】
サーフボード１００は、この特定の例では波形の下面１１０を含む本発明の起伏を含む。サーフボード１００には、プロセッサ１２０の形態のデータ手段、並びに、対応するそれぞれのデータ受信及び発信端子１２４及び１２８も含まれる。当業者には容易に認識されるように、発信端子１２８は、記録されたデータを検索して分析することを可能にする。この特定の実施形態のプロセッサ１２０並びに端子１２４及び１２８は、リアルタイム動作も行うように設計されている。サーフボード１００は、この特定の例では剛性部分１３４の形態である少なくとも部分的に剛性の下面部分も含む。軟質部分１３６も含まれ、軟質部分１３６は少なくとも部分的に軟質の上側部分の一例である。
【００６６】
図３において分かるように、この特定の例のノズル２０及び支持構造体３０は、海の波２００をシミュレートするように設計されている。ノズル２０は、面８０の等間隔に離間した位置又は準等間隔に離間した位置から流体を発射するように互いに対して位置決めされている。発射される流体は、面８０上又は面８０の下であるものとすることができる位置から、面８０の外方へエネルギーを方向付ける。流体は、十分な力で発射され、ライダーが、サーフボード１００等の平面的な物体を用いて、サーフボード１００と面８０との間に生じかねないいかなる摩擦力もほとんどなく乗ることを可能にする。
【００６７】
流体４０は、面８０に対して接線方向である接線平面に対して約１０度〜約３５度の範囲の角度で発射され、その値は、１平方メートルあたり約１５０ｋｇｆ〜１平方メートルあたり約５００ｋｇｆの範囲である。しかし、ほとんどの場合、流体４０は発射の角度及び力の双方に関して概ね一様に発射される。しかし、装置１０はセグメント（例えば図３及びこの図のセグメント２１０を参照のこと）を含むことができるように設計されており、セグメントは、装置１０の他のセグメントの角度及び力とは概ね異なる角度及び力で流体４０を発射する。この変形形態は、装置１０が、自然の海の波の異なる地点における異なるサーフィン状況の体験をより正確にシミュレートすることを可能にする。発射角度の範囲は線２２０及び２３０によって示される。
【００６８】
図７に最もよく示されているように、流体４０は、面８０の前縁８２に対して約１３５度〜約４５度の角度範囲でも発射される。この第２の群の発射角度は、乗り物１０がリアルな波の効果をより正確にシミュレートすることを更に可能にする。リアルな波の効果は、サーフィンの動力学を変え、サーフィン装置１０は、これらの効果をシミュレートするように設計されており、例えば装置１０が長手方向に横断することをより容易にするか又はより難しくする。難易度のこの調整は、例えば、サーフボード１００の抗力を増大又は低下させることによってなされる。リアルな波の効果は、上記で記載した発射角度の双方の群を動的に調整することによっても高められ、それによって角度を乗り物の動作中に調整することができる。サーフィン装置１０は、発射角度の双方の群の静的な調整を行うことも可能であり、この場合、発射角度は装置１０が使用されていないときに調整される。
【００６９】
サーフィン装置１０は、動作中に流体をノズル２０から基本的に非連続的に発射するように設計されている。この流体の発射は、上記で言及した本出願人の特許第７７７３５５号に関して記載されており、上記特許において記載されているセンサー及び関連の機能部に依拠する。それらのセンサー及び関連の機能部は参照により本明細書に援用される。
【００７０】
面８０はモジュール式であり、接続されたモジュール２３２から構成される。モジュール２３２はそれぞれ、ノズル２０を受け取るとともに収容するノズルハウジング２３４を有する。装置１０は、この特定の例では流体４０を発射するように設計されている構造体２３６の形態のエネルギー発射構造体を含む。構造体２３６は、接続されて構造体２３６を形成する構造部材２３８の形態の構造部材を含む。
【００７１】
この特定の例の各モジュール２３２は、例えばナット及びボルト又は圧着、紐、並びにクリップの形態の接続手段、並びに機械的な接続のための他のタイプの締結具２４０、並びにフィッティング２４２も含む。接続手段は、加えて又は代替的に、例えば熱結合、超音波溶接若しくは糊付け、又はこれらの組み合わせを含む化学的な接続も含むことができる。機械的な接続は、例えば、モジュール２３２を接続する噛み合い部分、ケーブル、及び受け入れキャビティ又は他の受け入れ機能部を提供する支持基材も含むことができる。
【００７２】
フィッティング２４２は、ノズル２０と流体発射構造体２３６とを接続するように設計されている。流体発射構造体２３６は、図３を参照するとこの特定の例では流体をノズル２０に圧送するポンプ２４１を備えるエネルギー発射手段を含む。フィッティング２４２は、例えば、モジュール２３２に一体化することができるが、代替的には、例えば封止された継手である別個の接続される構成部材である。
【００７３】
各モジュール２３２は、１つのノズル２０及び別のモジュールを接続する１つの手段しか含まなくてもよい。
【００７４】
図２に最もよく示されているように、サーフィン装置１０の面８０は、それ自体がフレーム２４８によって支持されている、懸架されるケーブル又はストラップ状の支持体２４６上に支持されている。モジュール２３２は、メンテナンスのために組み立て及び分解を容易にするように設計されており、サーフィン装置１０の可搬バージョンに関しては、異なる場所間での搬送を容易にするように設計されている。
【００７５】
図３を再び参照すると、線２５０及び２６０は、流体発射角度の範囲の別の例を示しており、上述した接線方向の平面に対して約５度〜約２５度の値を示している。図４を参照すると、この角度の範囲は通常、サーフィン装置３００の連続的な流体の発射により適している。サーフィン装置３００は、サーフィン装置１０の特徴に加えて、この特定の例では流体逃がし構成部材３５０を含む流体逃がし手段を備える。これらの構成部材３５０は、面８０から余分な流体を除去するように設計されている。余分な流体は、サーフィン７６と悪い方向に相互作用する任意の流体である。流体逃がし構成部材３５０は、サーフィン７６を変更するようにも設計されている。この変更は、この特定の例ではサーフィン７６の難易度を変えるように設計されている。しかし、流体逃がし構成部材はまた、より具体的には、例えばサーフィン７６の少なくとも以下の特徴：抗力；流体発射角度；及び発射される流体の貫通の１つ又は複数を変えるように設計されている。
【００７６】
流体逃がし構成部材３５０はまた、静的及び動的の双方で調整可能である。静的な調整は、サーフィン装置３００が一時的に動作していないときに行われる調整を含む。対照的に、動的な調整は、サーフィン７６中に行われる調整を含む。この特定の例の動的な調整は自動化される。図５ａ及び図５ｂは、この調整、及び対応する効果を図式的に示している。調整及び対応する効果の極値は、下側極値が参照符号３６０及び３７０によって示されており、上側極値が参照符号３８０及び３９０によって示されている。
【００７７】
サーフィン装置３００の流体逃がしはまた、面８０の異なる位置において独立して調整可能である。これによって、流体逃がしを異なる位置において異なる値に設定することが可能となる。調整は、この特定の例では、流体逃がし構成部材３５０を通る流体の流れに対する制限を変えることによって行われる。図５ｂを参照すると、この制限の極値の例が参照符号４００及び４１０によって示されている。サーフィン装置３００に関連して、流体逃がしの低下又は増大によってサーフィン７６に関連する抗力がそれぞれ増大又は低下する。流体逃がし構成部材３５０はまた、海の波の力をシミュレートするように調整され、抗力を制御することによって安定性を高める。
【００７８】
サーフィン装置３００の流体逃がしの調整は、流体の発射角度を変化させるようにも設計されている。流体逃がしの低下又は増大によって流体発射角度がそれぞれ低下又は増加する。この流体発射角度に対する変化は、サーフィン装置のこの特定の例では、面８０から或る距離を置いて生じる。サーフィン装置３００に関して、低下した流体逃がしは、発射される流体を面８０に対してより鋭角に向かって曲げる。このように曲げることは、海の波に関してはより上昇することと同様である。現在のところ、このように同様であるのは、ノズル２０に向けた人７０の降下に起因すると理解されている。サーフィン装置３００に関して上記で記載した流体逃がしの調整はまた、エネルギーが面８０から移動する距離を低減しながら、発射される流体のエネルギー移動を維持するように設計されている。
【００７９】
サーフィン装置３００の流体逃がしは、流体を、発射される流体の約１００％〜約５０％の範囲内で逃がすように設計されている。流体逃がしは、例えば以下の：吸引若しくは真空；重力；又は遠心力の少なくとも１つ又は複数を含むことができる。
【００８０】
図６に最もよく示されているように、本発明の他の面は、排水を容易にするように少なくとも部分的に多孔性であり、面８０に関してスロット付き又は網状のＰＶＣ４２０の形態をとる。スロット付きのＰＶＣ４２０は、面８０の場合に、表面積全体に対してｓｑｍあたり約０．５２ｓｑｍの多孔性の流体逃がし率を有する。スロット付きのＰＶＣ４２０のスロット４２２は、ともに矩形の孔４２８を画定する、対向して位置決めされる壁４２４及び４２６の２つの対応する対によって形成される。一対の対向して位置決めされる壁４２４は、約３ｍｍ〜約１５ｍｍの範囲だけ互いから離間しており、他方の対４２６は約１５ｍｍ〜約５０の範囲だけ互いから離間している。
【００８１】
図６ａを参照すると、スロット付きのＰＶＣ４２０の部分的に多孔性の表面は、落下するライダーの衝撃時に変形してライダーのエネルギーを吸収し、ライドの安全性を高めるように設計されている。スロット付きのＰＶＣ４２０の壁４２４及び４２６は、座屈によって変形する。壁４２４及び４２６は、衝撃時に極めて即座に座屈して落下したライダーに軟質の感覚を与えるように設計されている。スロット付きのＰＶＣ４２０は極めて厚く、したがって、壁４２４及び４２６は極めて迅速に座屈するが、ライダーの落下中に生成されるエネルギーのほとんどを吸収することが可能である。しかし、エネルギー吸収は、異なる材料、材料の厚さ、密度、又はこれらの１つ又は複数の組み合わせを用いることによっても調整することができる。
【００８２】
スロット付きのＰＶＣ４２０は、例えば乗り物１０の詳細な説明のライド以外のウォータースポーツに関連するライドにも適用可能である。面は、例えば乗り物１０の発射される流体によって人をサーフィンさせるように設計されているか、又は代替的には、スロット付きのＰＶＣ４２０と少なくとも部分的に直接的に接触してスロット付きのＰＶＣ４２０から、スロット付きのＰＶＣ４２０にわたって若しくはスロット付きのＰＶＣ４２０の上に発射される流体によって人をサーフィンさせるように設計されている。
【００８３】
ケーブル又はストラップ２４６も落下するライダーの衝撃を吸収する。図６ｄは、面８０の下でループ状になっているケーブル２４６を示している。図６ｃを参照すると、ケーブル２４６は、ライダーが面８０上に落下する場合に、それらの衝撃地点４２７に近接するライダーから少なくとも部分的に離れて衝撃の幾らかを吸収するために十分に緩んでいる。このように離れることによって、ライダーの両側におけるケーブル又はストラップ２４６の対応する移動、及び面８０の少なくとも部分的な上昇も生じる。この上昇は、面８０の重量の一部が上昇することによって、衝撃の吸収にも貢献する。
【００８４】
上記で記載した座屈はまた、サーファー７０がスロット付きのＰＶＣ４２０上をサーフィン７６するときに流体逃がしを一時的に低下させることによって、サーフィンの質を高める。ＰＶＣ４２０に関して、多孔性は、壁４２４及び４２６が座屈すること、及び対応する孔４２８を対応して制限するか又は絞ることによって低下する。流体逃がしの低下によって、面８０上の流体の量が増大し、これによって、サーファー７０が面８０から離れるように更に押される。このように離れることは、上昇が増すため、サーファー７０にとって有益である。
【００８５】
流体逃がしを低下させることの別の利点は、その低下によって、面８０から排水される流体の排水速度が低下することである。排水速度のこの低下は、サーファー７０がスロット付きのＰＶＣ４２０と大きく接触することなくスロット付きのＰＶＣ４２０上をサーフィンすることを可能にするのに必要な流体４０の発射速度を低下させることによって、乗り物１０のエネルギー使用を低減する。
【００８６】
図１及び図４のサーフィン装置１０及び３００の面８０は細長い。したがって、サーフィン装置１０及び３００は、細長い面８０の長手方向長さに沿うサーフィン７６に適している。しかし、特にサーフィン装置３００に関して、人は、比較的限られた領域内でサーフィン７６することができる。サーフィン装置３００の面８０はしたがって、細長いことは必ずしも必要とされない。サーフィン装置３００はしたがって、より複雑でなくより費用のかからない設置について、装置１０よりも適している可能性が高い。
【００８７】
図７は、サーフィン装置１０及び３００に関して、細長い面８０の前縁８２に対して約４５度〜約１３５度の範囲の角度での流体４０の発射を最もよく示している。図８は、海の波の形状をシミュレートする形状であるサーフィン面４６０を有するサーフィン装置４５０を示している。サーフィン装置４５０は、サーフィン装置１０又は３００の特徴を含むことができる。
【００８８】
サーフィン装置１０、３００及び４５０の付加的な調整可能な特徴は：流体４０の発射速度；（上記で記載したような）流体４０の発射角度；及び面８０の形状を含む。これらの特徴は、これらの装置のそれぞれに関して静的に若しくは動的に、又は静的及び動的の双方で調整可能である。これらの特徴はまた、これらの調整可能な特徴のうちの他の特徴に対して、及びまた面８０の位置に対して独立して調整可能である。このことによって、異なる値を異なる位置において任意の所与の時点で設定することが可能である。静的及び動的な調整は、サーフィン装置３００に関して上記で記載した静的及び動的な流体逃がしの調整に対応する。調整は、同様に上記で記載した手動及び自動の流体逃がしの調整に対応する自動的な調整の制御も含む。
【００８９】
図１〜図４を参照すると、サーフィン装置１０、３００及び４５０は、以下の：ノズル２０の位置；及びノズル２０の流体発射能力を含むノズル２０の流体の発射を静的に調整するようにも設計されている。この静的な調整は、上記で記載した静的な流体逃がしの調整に対応する。サーフィン装置１０、３００及び４５０はまた、上記で記載した手動及び自動の流体逃がしの調整の制御に対応する手動及び自動の調整の制御を任意選択的に含む。
【００９０】
図９は、サーフィン装置５００の形態の本発明のサーフィン装置の別の例を示している。サーフィン装置５００は、サーフィン装置１０、３００及び４５０の面８０の代わりに、水平かつ平坦な面５１０を含む。面５１０は、液体５２０の形態の流体の上で若しくは流体のすぐ下で支持されるか、又は代替的には、液体５２０の上面の最大で約３００ｍｍ下で支持される。サーフィン装置は、浮き５３０の形態の少なくとも１つの浮き手段も含む。浮き５３０は、面５１０に接続されており、液体５２０上で面５１０を支持するように設計されている。
【００９１】
浮き５３０は、静的な調整５４０の形態の本発明の静的な調整を含む。この静的な調整は、図１０の末端の浮き位置５５０及び５６０間の調整を可能にする。
【００９２】
本発明のサーフィン装置の別の例が、図１１に示されているサーフィン装置１０００である。この他の例は、電磁エネルギー発射プレート１１００の形態の少なくとも１つのエネルギー発射手段を含む。この他の例はまた、サーフィン装置１０、３００及び４５０の支持構造体３０を、サーフィン装置１０の全ての他の特徴とともに含む。サーフィン装置１０の特徴と同一であるサーフィン装置１０００の他の特徴は、サーフィン装置１０に関して用いられる参照符号を用いて言及する。矢印１２００は、プレート１１００が発射する電磁エネルギーを示している。発射される電磁エネルギー１２００は、人７０がサーフィン７６することを可能にする本発明のエネルギー発射の別の例である。サーフィン装置１０に関して上記で説明したように、この他の例では、人７０は、全体に、発射されるエネルギー１２００との直接的な接触によって、面８０とは基本的に独立してサーフィン７６する。プレート１１００は、基本的に面８０の平面にある位置から電磁エネルギー１２００を発射する。
【００９３】
サーフィン装置１０００に関して、人７０は、以下のように形成される面１３００の形態の本発明の面上でサーフィン７６する。図１１を参照すると、サーフィン７６には、サーフボード１３５０の形態の平面的な物体を伴う。サーフボード１３５０は、サーフボード１００によく似た外見を有する。しかし、サーフボード１３５０は、サーフボード１００の波形の下面１１０を含まない。サーフボード１３５０は、波形の下面１１０の代わりに、金属プレート１３６０の形態の少なくとも１つの電磁エネルギー受け取り領域を有する。サーフボード１３５０は、例えばその形状及び材料に関して、電磁エネルギー１２００を最もよく受け取るように設計されている。サーフボード１３５０の設計はまた、ユーザーの好みに従って、例えば形状、厚さ、重量、テクスチャー、剛性を調整することができる。電磁エネルギーは、１平方メートルあたり約１５０ｋｇｆ〜１平方メートルあたり約５００ｋｇｆの範囲の濃度を有する。このエネルギー範囲は、任意の所与の時点で人７０がサーフィン７６することが意図される面８０のエリアである、面８０の活性エリアに関連する。
【００９４】
電磁エネルギー１２００と金属プレート１３６０との相互作用によって面１３００が形成される。サーフィン装置１０との関連と同様に、サーフィン装置１０００の面１３００は面８０の上に位置決めされる。サーファー７０は、面８０と大きく接触することなく面１３００上でサーフィン７６する。サーファー７０はしたがって、サーフィン装置１０との関連と同様に、基本的に、面８０との接触から生じるであろういかなる接触もなくサーフィン７６する。
【００９５】
本発明は、その好ましい形態の少なくとも１つでは、少なくとも以下の利点を有することが認識されるであろう：
１．人がサーフィンしながらもリアルタイムで調整可能である、シミュレートされる波を提供すること；
２．例えばエネルギー発射の角度及び力を含む、またサーフィン装置の任意の領域、又は人がサーフィンするサーフィン装置の面の若しくは面上の正確な位置に関する、シミュレートされる波の調整性；
３．全ての技能レベルに合わせるように多くの多様な自然の海の波をシミュレートするための、シミュレートされる波の調整性。例えば直前の項目２の特徴に関連する異なる波の方向、及び直前の項目２において言及した任意の領域又は正確な位置に関連するエネルギーレベルを含む調整性は、広範囲に及ぶものであり、可能性としては無限である。したがって、サーフィン装置の１つ又は複数の実施形態によって体験することができる様々なシミュレートされる波も広範囲に及び、可能性としては無限である。これらの様々なシミュレートされる波及び様々なシミュレートされる波体験は、同じサーフィン装置の実施形態に関して生じさせることもできる。これらの様々なシミュレートされる波と様々なシミュレートされる波体験との間の調整は、サーファーがサーフィン装置をサーフィンしながら、またリアルタイムで動的に行うこともできる；
４．効率的なエネルギー及び電力の消費のためのサーフボード又はブギーボード等のサーフィン装置への効率的なエネルギーの移動。これは例えば、少なくとも１つの好ましい実施形態に関して、エネルギーが、任意の所与の時点で装置上でサーフィンしている人の位置に近接している位置から発射されるため、提供される。この好ましい実施形態、及び少なくとも１つの他の実施形態に関して、エネルギーの移動は、同様のサイズのシミュレートされる波を提供する他の波シミュレーション装置よりも効率的である。これらの他の波シミュレーション装置は通常、面上への流体の発射若しくは流体の流れの生成のいずれか又は両方を含む。双方とも、流体の表面上に大きな摩擦力を与え、これらの摩擦力は通常、流体の速度を急速に低下させる。したがって、他の波シミュレーション装置は通常、これらの摩擦力を克服するためにかなりより大きなエネルギーを必要とする。
５．サーファーがサーフィンするサーフィン装置の面から流体を逃がすこと。このように逃がすことにより、残留流体と、発射される流体、又はサーフィン装置によってサーフィンするサーファーが接触する流体のいずれか又は双方との干渉の調整を可能にする。したがって、流体の逃がしを用いてサーフィン装置の流体の動的な側面を調整し、更に、上述した利点に関して記載したような装置の乗り心地の特徴を調整することができる。この流体逃がしは、サーフィン装置の任意の領域又はサーフィン装置の面の正確な位置に関して提供することもできる。流体逃がしは、干渉を少なくとも実質的に迅速に調整することもできる。一定の概ね一様な流体逃がしは、サーフィン装置の波のような面上に流体が滞留することを防止するという別の利点も提供する。このことによって、対応する支持構造体の耐荷重要件が限定され、支持構造体の構成要件の対応する低減が容易になる。このことはまた、サーフィン装置に関してより融通性のある設計の限定を容易にする。この増大した融通性は、例えば、衝撃吸収設計の改良、及び他の波シミュレーション装置と比較した建設費用の低減につながる。流体逃がしに関連する更なる利点は安全性に関し、それによって、流体を、必要であれば、操作者によって面から即座に排水して、参加者の安全性を確実にすることができる。
６．上記他の面の局所的な変形；ループ状になっている支持ケーブルの、衝撃地点から離れる移動；流体内への上記他の面の移動；又はこれらの１つ又は複数の組み合わせによる衝撃の吸収。
【００９６】
当業者には、広範に記載した本発明の主旨又は範囲から逸脱することなく、特定の実施形態に示されているような本発明に対して多くの変形又は変更を加えることができることが認識されるであろう。例えば、エネルギーの発射は、例えば流体の発射及び電磁エネルギーの発射の組み合わせを含むことができる。各形態のエネルギーの比率も、サーフボード１００等の平面的な物体に最も効率的な形態のエネルギー移動を提供するように設計することができる。本発明はしたがって、あらゆる点で限定的ではなく例示的であるものとみなされるべきである。
【図１】
2014502869.tif 000003
【図１ａ】
2014502869.tif 000004
【図２】
2014502869.tif 000005
【図３】
2014502869.tif 000006
【図４】
2014502869.tif 000007
【図５ａ】
2014502869.tif 000008
【図５ｂ】
2014502869.tif 000009
【図６】
2014502869.tif 000010
【図６ａ】
2014502869.tif 000011
【図６ｂ】
2014502869.tif 000012
【図６ｃ】
2014502869.tif 000013
【図６ｄ】
2014502869.tif 000014
【図７】
2014502869.tif 000015
【図８】
2014502869.tif 000016
【図９】
2014502869.tif 000017
【図１０】
2014502869.tif 000018
【図１１】
2014502869.tif 000019
【国際調査報告】
2014502869.tif 000020
2014502869.tif 000021
2014502869.tif 000022
2014502869.tif 000023
2014502869.tif 000024
2014502869.tif 000025